(57)【要約】【課題】通信可能に接続された端末を介して、家屋の態様を踏まえた新たなサービスを提供する。【解決手段】サービス提供サーバー１０は、家屋に設置される住居設置端末１５にインターネット１２を介して接続されており、当該端末が設置された家屋の間取りに関する家屋情報を記憶する記憶部３３と、記憶部３３に記憶された家屋情報に基づいて処理を実行し、処理結果を当該端末に出力する情報処理部３０ａと、を有している。【選択図】図２
2014050020.tif 000002
【特許請求の範囲】
【請求項１】
家屋の間取り、及び、前記家屋に配置された物品に関する家屋情報を、更新可能に記憶する記憶部と、
前記記憶部に記憶された前記家屋情報に基づいて、前記家屋の間取り又は前記家屋に配置された前記物品の態様を踏まえた所定の処理を実行し、処理結果を端末に出力する情報処理部と、
を備えることを特徴とするサーバー装置。
【請求項２】
前記情報処理部は、
前記記憶部に記憶された前記家屋情報に基づいて、前記家屋の間取り及び前記物品が配置された場所を示す画像を表示させるデータを生成する描画データ生成処理を実行し、生成したデータを前記端末に出力して、前記家屋の間取り及び前記家屋において前記物品が配置された場所を示す画像を表示させることを特徴とする請求項１に記載のサーバー装置。
【請求項３】
前記端末は、前記家屋に設置されるものであり、
前記情報処理部は、
前記描画データ生成処理の実行に際し、前記端末の向きを取得し、取得した前記端末の向きを反映させて、前記家屋の間取り及び前記物品が配置された場所を示す画像を表示させるデータを生成することを特徴とする請求項２に記載のサーバー装置。
【請求項４】
前記端末は、前記家屋に設置されるものであり、
前記情報処理部は、
前記描画データ生成処理の実行に際し、前記家屋における前記端末の位置を取得し、取得した前記端末の位置を反映させて、前記家屋の間取り及び前記物品が配置された場所を示す画像を表示させるデータを生成することを特徴とする請求項２または３に記載のサーバー装置。
【請求項５】
前記家屋には、１又は複数の無線通信タグが設置され、
前記端末は、前記無線通信タグと通信してタグ固有の識別コードを取得する機能を有し、
前記記憶部には、前記家屋に設置された前記無線通信タグのそれぞれについて、前記識別コードと、前記無線通信タグの位置を示す情報とが対応付けて記憶され、
前記情報処理部は、
前記端末から、前記端末に近接した位置に設置された前記無線通信タグの前記識別コードを取得し、取得した前記識別コードと対応付けて記憶された前記無線通信タグの位置を示す情報を取得することにより、前記家屋における前記端末の位置を取得することを特徴とする請求項４に記載のサーバー装置。
【請求項６】
前記家屋情報には、
前記家屋を構成する部屋の形状、及び、サイズに関する情報と、
前記部屋における前記物品の配置場所を示す情報と、
前記部屋に配置された前記物品の形状、及び、サイズに関する情報と、が含まれ、
前記情報処理部は、
前記端末から、前記部屋において新たな物品を設置可能な領域についての問い合わせがあった場合、前記家屋情報に基づいて、前記部屋の形状及びサイズと、前記部屋に配置された前記物品の配置場所と、前記部屋に配置された前記物品の形状及びサイズとを反映して、前記部屋において新たな物品を設置可能な領域に関する情報を生成し、前記端末に出力することを特徴とする請求項１ないし５のいずれかに記載のサーバー装置。
【請求項７】
前記家屋情報には、
前記物品の種類を示す情報がさらに含まれ、
前記情報処理部は、
前記部屋において新たな物品を設置可能な領域に関する情報の生成に際し、前記部屋に配置された前記物品の種類を反映して、当該領域に関する情報を生成することを特徴とする請求項６に記載のサーバー装置。
【請求項８】
前記情報処理部は、
前記端末から、前記部屋における１のポイントと、他のポイントとの離間距離の問い合わせがあった場合、前記家屋情報に基づいて、各ポイント間の離間距離を算出し、応答することを特徴とする請求項６又は７に記載のサーバー装置。
【請求項９】
天災に関する情報を通知する外部サーバーに接続され、
前記情報処理部は、
前記外部サーバーから前記天災に関する情報が入力された場合、前記天災に関する情報と、前記家屋情報とに基づいて、天災の内容と、前記家屋の間取りとを踏まえた避難に関する情報を生成し、前記端末に出力することを特徴とする請求項１ないし８のいずれかに記載のサーバー装置。
【請求項１０】
前記家屋情報には、
前記家屋に配置されている前記物品について、前記物品の種類を示す情報と、前記物品の配置場所を示す情報とが含まれ、
前記情報処理部は、
前記外部サーバーから前記天災に関する情報が入力された場合、前記天災に関する情報と、前記物品の種類を示す情報と、前記物品の配置場所を示す情報とに基づいて、前記天災の内容と、前記家屋の間取りと、前記家屋に配置された前記物品の種類と、前記物品の配置場所とを踏まえた避難に関する情報を生成し、前記端末に出力することを特徴とする請求項９に記載のサーバー装置。
【請求項１１】
前記家屋情報には、
前記家屋に配置されている前記物品について、前記物品の配置場所を示す情報が含まれ、
前記情報処理部は、
前記外部サーバーから前記天災に関する情報が入力された場合、前記天災に関する情報と、前記物品の配置場所を示す情報とに基づいて、前記天災の内容と、前記物品の配置場所とを踏まえた前記家屋における避難経路に関する情報を生成し、前記端末に出力することを特徴とする請求項９又は１０に記載のサーバー装置。
【請求項１２】
前記端末は、前記家屋に設置されるものであり、所定の検出手段により前記端末が設置された位置に対応する位置における物体の移動の有無を検出する機能、及び、検出結果を出力する機能を備え、
前記情報処理部は、
前記家屋情報と、前記端末から入力された前記所定の検出手段による検出結果とに基づいて、前記家屋の居住者のライフスタイルを推測し、推測したライフスタイルに関連する情報を生成し、生成した情報を前記端末に出力することを特徴とする請求項１ないし１１のいずれかに記載のサーバー装置。
【請求項１３】
前記情報処理部は、
前記家屋の居住者が所有する携帯端末から位置情報を取得し、前記位置情報に基づいて、当該居住者が、前記家屋内、又は、前記家屋の近傍に位置している時間帯を特定する一方、
前記端末から入力された前記所定の検出手段による検出結果に基づいて、物体の移動が継続して検出された時間帯を特定し、
特定したこれら時間帯の重複する時間帯を、当該居住者が前記家屋に居る時間帯として特定し、特定した時間帯に基づいて、居住者のライフスタイルを推測することを特徴とする請求項１２に記載のサーバー装置。
【請求項１４】
前記家屋情報には、
前記家屋を構成する前記部屋の属性を示す情報と、前記端末が設置されている前記部屋を示す情報とが含まれ、
前記情報処理部は、
前記部屋の属性を示す情報と、前記端末が設置されている前記部屋を示す情報とに基づいて、前記端末が設置されている前記部屋の属性を検出し、検出した属性と、前記端末から入力された前記所定の検出手段による検出結果に基づいて、居住者のライフスタイルを推測することを特徴とする請求項１２又は１３に記載のサーバー装置。
【請求項１５】
前記端末は、前記家屋に設置されるものであり、所定の検出手段により前記端末が設置された位置に対応する位置における物体の移動の有無を検出する機能、及び、検出結果を出力する機能を備え、
前記情報処理部は、
前記家屋情報と、前記端末から入力された前記所定の検出手段による検出結果とに基づいて、居住者の安否を通知するための条件として予め定められたものが成立したか否かを判別し、成立した場合は、外部機器に対して所定の通知を行うことを特徴とする請求項１ないし１４のいずれかに記載のサーバー装置。
【請求項１６】
前記家屋情報には、
前記家屋を構成する前記部屋の属性を示す情報と、前記端末が設置されている前記部屋を示す情報とが含まれ、
前記情報処理部は、
前記家屋情報と、前記端末から入力された前記所定の検出手段による検出結果とに基づいて、居住者の安否を通知するための条件として予め定められたものが成立したか否かを判別し、成立した場合は、前記外部機器に対して所定の通知を行う一方、
前記家屋を構成する前記部屋の属性を示す情報と、前記端末が設置されている前記部屋を示す情報とに基づいて、前記端末が設置されている前記部屋の属性を検出し、検出した属性に応じて、前記条件の内容を変更することを特徴とする請求項１５に記載のサーバー装置。
【請求項１７】
前記端末には、前記家屋の居住者が所有する携帯端末が含まれていることを特徴とする請求１ないし１６のいずれかに記載のサーバー装置。
【請求項１８】
端末と、サーバー装置とが、ネットワークを介して通信可能に接続された情報処理システムであって、
前記サーバー装置は、
家屋の間取り、及び、前記家屋に配置される物品に関する家屋情報を更新可能に記憶する記憶部と、
前記記憶部に記憶された前記家屋情報に基づいて、前記間取り又は前記物品の状態を踏まえた所定の処理を実行し、処理結果を端末に出力する情報処理部と、を備えることを特徴とする情報処理システム。
【請求項１９】
前記端末は、前記家屋に設置されるものであり、
前記サーバー装置の前記記憶部は、
ある１の前記端末について、当該１の前記端末が設置された前記家屋の間取り、及び、前記家屋に配置される前記物品に関する前記家屋情報を更新可能に記憶し、
前記サーバー装置の前記情報処理部は、
前記記憶部に記憶された前記家屋情報に基づいて、当該１の前記端末が設置された前記家屋の間取り又は前記１の前記端末が設置された前記家屋に配置された前記物品の状態を踏まえた所定の処理を実行し、処理結果を当該１の前記端末に出力することを特徴とする請求項１８に記載の情報処理システム。
【発明の詳細な説明】
【技術分野】
【０００１】
本発明は、端末に接続され、当該端末に対してサービスを提供するサーバー装置、及び、当該端末と当該サーバー装置とを備える情報処理システムに関する。
【背景技術】
【０００２】
近年、サーバー装置（サーバー）と、クライアントとしての端末とを備え、端末の要求に応じて、サーバー装置が各種処理を実行し、端末を介してサービスを提供するシステムが普及してきている（例えば、特許文献１参照）。
【先行技術文献】
【特許文献】
【０００３】
【特許文献１】特開２０１０−２５７３５５号公報
【発明の概要】
【発明が解決しようとする課題】
【０００４】
上述したシステムにおいて、サーバー装置と、端末とが通信可能に接続されていることを利用した新たなサービスが提供できれば、当該システムを利用する顧客満足度の向上につながり、当該システムの商品としての魅力が向上し、当該システムの適用を促すことができる。
本発明は、上述した事情に鑑みてなされたものであり、新たなサービスを提供可能なサーバー装置、及び、当該サーバー装置を備える情報処理システムを提供することを目的とする。
【課題を解決するための手段】
【０００５】
上記目的を達成するために、本発明は、家屋の間取り、及び、前記家屋に配置された物品に関する家屋情報を、更新可能に記憶する記憶部と、前記記憶部に記憶された前記家屋情報に基づいて、前記家屋の間取り又は前記家屋に配置された前記物品の態様を踏まえた所定の処理を実行し、処理結果を端末に出力する情報処理部と、を備えることを特徴とする。
ここで、家屋情報とは、家屋の間取りに関する情報、及び、家屋に配置された物品に関する情報を含んだ情報のことである。
家屋の間取りに関する情報は、家屋を構成する部屋の配置に関する情報や、各部屋のサイズに関する情報、各部屋の形状に関する情報、各部屋の属性に関する情報等、家屋の間取りに関連する各種情報を含んだ概念である。
また、「物品」には、テレビや、冷蔵庫等の家電、タンスや棚等の家具、通帳や印鑑、洋服、財布等の家屋の居住者等が保持し使用する「もの」等、家屋に設置され、配置され、一時的継続的に収納され得る物体が広く含まれる。そして、家屋に配置された物品に関する情報は、家屋における物品の配置位置や、物品自体の形状、サイズ、質量等、物品に関する各種情報を含んだ情報のことである。
そして、上記構成によれば、サーバー装置は、家屋情報を記憶し、家屋情報に基づいて、家屋の間取り又は家屋に配置された物品の態様を踏まえた所定の処理を実行し、処理結果を端末に出力するため、端末を介して、家屋の間取り又は家屋に配置された物品の態様を踏まえた有益な情報を提供する、という新たなサービスを提供可能である。
【０００６】
また、本発明は、前記情報処理部は、前記記憶部に記憶された前記家屋情報に基づいて、前記家屋の間取り及び前記物品が配置された場所を示す画像を表示させるデータを生成する描画データ生成処理を実行し、生成したデータを前記端末に出力して、前記家屋の間取り及び前記家屋において前記物品が配置された場所を示す画像を表示させることを特徴とする。
ここで、「家屋の間取り及び物品が配置された場所を示す画像」とは、いわゆる「間取り」等、部屋の構造、形状を表す画像や、物品が配置された場所、物品の形状、サイズ、重量等を表す画像等を広く含む概念であり、二次元、三次元を問わない。
そして、上記構成によれば、端末のユーザーは、端末を介して、自身が居住している部屋等の間取りや、物品が配置された場所の画像を適宜参照できることとなり、当該ユーザーの満足度を向上できる。
つまり、上記構成によれば、サーバー装置は、端末と通信可能に接続され、かつ、家屋情報を記憶しているという特性を活かして、ソフトウェアとハードウェアとの協働により、端末のユーザーに対して、端末を介して、そのユーザーが実際に居住している家屋等、当該ユーザーに関連する家屋の間取りや、物品が配置された場所の画像を適宜提供する、という新たなサービスを提供可能である。
【０００７】
また、本発明は、前記端末は、前記家屋に設置されるものであり、前記情報処理部は、前記描画データ生成処理の実行に際し、前記端末の向きを取得し、取得した前記端末の向きを反映させて、前記家屋の間取り及び前記物品が配置された場所を示す画像を表示させるデータを生成することを特徴とする請求項２に記載のサーバー装置。
この構成によれば、端末には、端末の向きを反映した間取りに係る画像が表示されることとなり、当該間取りに係る画像を視認するユーザーの利便性を向上できる。
【０００８】
また、本発明は、前記端末は、前記家屋に設置されるものであり、前記情報処理部は、前記描画データ生成処理の実行に際し、前記家屋における前記端末の位置を取得し、取得した前記端末の位置を反映させて、前記家屋の間取り及び前記物品が配置された場所を示す画像を表示させるデータを生成することを特徴とする。
この構成によれば、家屋における端末の実際の位置を踏まえて、間取りに係る画像を端末に表示させることが可能となり、間取りに係る画像を視認するユーザーの利便性を向上できる。
【０００９】
また、本発明は、前記家屋には、１又は複数の無線通信タグが設置され、前記端末は、前記無線通信タグと通信してタグ固有の識別コードを取得する機能を有し、前記記憶部には、前記家屋に設置された前記無線通信タグのそれぞれについて、前記識別コードと、前記無線通信タグの位置を示す情報とが対応付けて記憶され、前記情報処理部は、前記端末から、前記端末に近接した位置に設置された前記無線通信タグの前記識別コードを取得し、取得した前記識別コードと対応付けて記憶された前記無線通信タグの位置を示す情報を取得することにより、前記家屋における前記端末の位置を取得することを特徴とする。
この構成によれば、サーバー装置は、部屋に設置されたタグを利用して、部屋における端末の位置を的確に把握することができる。
【００１０】
また、本発明は、前記家屋情報には、前記家屋を構成する部屋の形状、及び、サイズに関する情報と、前記部屋における前記物品の配置場所を示す情報と、前記部屋に配置された前記物品の形状、及び、サイズに関する情報と、が含まれ、前記情報処理部は、前記端末から、前記部屋において新たな物品を設置可能な領域についての問い合わせがあった場合、前記家屋情報に基づいて、前記部屋の形状及びサイズと、前記部屋に配置された前記物品の配置場所と、前記部屋に配置された前記物品の形状及びサイズとを反映して、前記部屋において新たな物品を設置可能な領域に関する情報を生成し、前記端末に出力することを特徴とする。
この構成によれば、ユーザーは、例えば、自身が居住する家屋を構成する部屋のうちの１つに、新たな物品（上述したように、家電、家具等）を設置する際に、設置しようとしている部屋において、当該新たな物品を設置可能な領域を把握可能となる。
つまり、上記構成によれば、サーバー装置は、端末と通信可能に接続され、かつ、家屋を構成する部屋の形状、及び、サイズに関する情報と、部屋における物品の配置場所を示す情報と、物品の形状、及び、サイズに関する情報とを記憶しているという特性を活かして、ソフトウェアとハードウェアとの協働により、端末を介して、部屋において新たな物品を設置可能な領域に関する情報という有益な情報を提供する、という新たなサービスを提供可能である。
【００１１】
また、本発明は、前記家屋情報には、前記物品の種類を示す情報がさらに含まれ、前記情報処理部は、前記部屋において新たな物品を設置可能な領域に関する情報の生成に際し、前記部屋に配置された前記物品の種類を反映して、当該領域に関する情報を生成することを特徴とする。
ここで、部屋に既に設置されている物品の種類によって、新たに設置しようとしている物品を配置可能な領域は変動する。例えば、部屋にテレビが設置されている場合は、テレビの性質上、テレビの正面側の数メートルは、テレビの視聴を妨げるような物品は設置できず、また、部屋に棚が設置されている場合は、その棚には所定の種類の物品は載置可能である。
以上を踏まえ、上記構成によれば、サーバー装置は、部屋に既に設置されている物品の種類を踏まえて、適切に、新たな生活用物品を設置可能な領域に関する情報を、端末を介して、提供可能である。
【００１２】
また、本発明は、前記情報処理部は、前記端末から、前記部屋における１のポイントと、他のポイントとの離間距離の問い合わせがあった場合、前記家屋情報に基づいて、各ポイント間の離間距離を算出し、応答することを特徴とする。
この構成によれば、ユーザーは、部屋における１のポイントと、他のポイントとの離間距離を具体的に把握することができ、新たな物品を設置可能な領域に関するより有益な情報を取得することが可能となる。
【００１３】
また、本発明は、天災に関する情報を通知する外部サーバーに接続され、前記情報処理部は、前記外部サーバーから前記天災に関する情報が入力された場合、前記天災に関する情報と、前記家屋情報とに基づいて、天災の内容と、前記家屋の間取りとを踏まえた避難に関する情報を生成し、前記端末に出力することを特徴とする。
ここで、天災とは、地震や洪水等の自然災害や火事等の災害等、起こり得る事象を広く含む概念である。
上記構成によれば、ユーザーは、地震等の天災が発生した場合に、天災の内容のみならず、部屋の間取りを踏まえた適切な避難に関する情報を取得できる。
つまり、上記構成によれば、サーバー装置は、端末と通信可能に接続され、かつ、家屋情報を記憶している特性を活かして、ソフトウェアとハードウェアとの協働により、端末を介して、天災の内容と、家屋の間取りとを踏まえた避難に関する情報という有益な情報を提供する、という新たなサービスを提供可能である。
【００１４】
また、本発明は、前記家屋情報には、前記家屋に配置されている前記物品について、前記物品の種類を示す情報と、前記物品の配置場所を示す情報とが含まれ、前記情報処理部は、前記外部サーバーから前記天災に関する情報が入力された場合、前記天災に関する情報と、前記物品の種類を示す情報と、前記物品の配置場所を示す情報とに基づいて、前記天災の内容と、前記家屋の間取りと、前記家屋に配置された前記物品の種類と、前記物品の配置場所とを踏まえた避難に関する情報を生成し、前記端末に出力することを特徴とする。
ここで、地震等の何らかの災害が発生した場合において、どのような態様で避難すべきかは、部屋の間取りのみならず、部屋を構成する部屋に配置されている物品の種類、配置場所に応じて変動する。例えば、重量の大きい冷蔵庫や、ガラスを有する食器棚等の付近には、安全性の観点から避難すべきではない。
そして、上記構成によれば、ユーザーは、天災が発生した場合に、天災の内容、及び、家屋の間取りのみならず、家屋を構成する部屋に配置されている物品の種類、配置場所に応じた適切な避難に関する情報を取得できる。
つまり、上記構成によれば、サーバー装置は、端末と通信可能に接続され、かつ、物品の種類を示す情報と、物品が配置されている場所を示す情報とを記憶している特性を活かして、ソフトウェアとハードウェアとの協働により、端末を介して、天災の内容、家屋の間取り、家屋を構成する部屋に配置されている物品の種類、及び、物品の配置場所に応じた避難に関する情報という有益な情報を提供する、という新たなサービスを提供可能である。
【００１５】
また、本発明は、前記家屋情報には、前記家屋に配置されている前記物品について、前記物品の配置場所を示す情報が含まれ、前記情報処理部は、前記外部サーバーから前記天災に関する情報が入力された場合、前記天災に関する情報と、前記物品の配置場所を示す情報とに基づいて、前記天災の内容と、前記物品の配置場所とを踏まえた前記家屋における避難経路に関する情報を生成し、前記端末に出力することを特徴とする。
この構成によれば、ユーザーに対し、物品の配置場所を踏まえた避難経路を提供できるため、ユーザーは、天災が発生した場合に、避難という観点からより有益な情報を取得できる。
【００１６】
また、本発明は、前記端末は、前記家屋に設置されるものであり、所定の検出手段により前記端末が設置された位置に対応する位置における物体の移動の有無を検出する機能、及び、検出結果を出力する機能を備え、前記情報処理部は、前記家屋情報と、前記端末から入力された前記所定の検出手段による検出結果とに基づいて、前記家屋の居住者のライフスタイルを推測し、推測したライフスタイルに関連する情報を生成し、生成した情報を前記端末に出力することを特徴とする。
上記構成では、端末は、端末が設置された位置に対応する位置における物体の移動の有無を検出する機能を有しているが、物体の動きは人間の動きである可能性が非常に高いため、この機能を利用すれば、家屋の居住者等の端末のユーザーが、端末が設置されている部屋に居るのか居ないのかを一定の精度で検出可能である。
ここで、人間のライフスタイルは、部屋においてどのような態様で生活しているのかによりある程度推測可能である。
そして、上記構成によれば、端末が物体の移動の有無を検出する機能を有していることを活用して、ライフスタイルを一定の確かさをもって推測することが可能であり、かつ、ユーザーに対して、ライフスタイルに関連する情報という有益な情報を提供可能である。
つまり、上記構成によれば、サーバー装置は、家屋に設置された端末と通信可能に接続され、かつ、家屋情報を記憶している特性を活かして、ソフトウェアとハードウェアとの協働により、ユーザーのライフスタイルを適切に推測した上で、端末を介して、推測したライフスタイルに関連する情報を提供する、という新たなサービスを提供可能である。
【００１７】
また、本発明は、前記情報処理部は、前記家屋の居住者が所有する携帯端末から位置情報を取得し、前記位置情報に基づいて、当該居住者が、前記家屋内、又は、前記家屋の近傍に位置している時間帯を特定する一方、前記端末から入力された前記所定の検出手段による検出結果に基づいて、物体の移動が継続して検出された時間帯を特定し、特定したこれら時間帯の重複する時間帯を、当該居住者が前記家屋に居る時間帯として特定し、特定した時間帯に基づいて、居住者のライフスタイルを推測することを特徴とする。
ここで、携帯端末の位置情報、例えば、基地局を示す情報は、既存の技術により取得できる一方、基地局を示す情報はピンポイントで居住者の位置を示す情報ではないため、基地局を示す情報のみからでは、特定の居住者が、実際に家屋に居るのか居ないのかを正確に把握することはできない。一方で、端末の物体の移動の有無を検出する機能を利用した場合、部屋にいずれかの居住者が居ることは把握できるものの、特定の居住者が居ることは把握できない。
以上を踏まえ、上記構成によれば、ある特定の居住者について、位置情報に基づいて、当該居住者が、部屋内、又は、部屋の近傍に位置している時間帯を特定し、さらに、物体の移動が継続して検出された時間帯を特定し、特定したこれら時間帯の重複する時間帯を、当該居住者が部屋に居る時間帯として特定する。つまり、特定の居住者が、部屋又は部屋の近傍に位置している時間帯であって、かつ、部屋に人間が存在している時間帯は、当該特定の居住者が部屋に居る時間帯である可能性が高いとして、当該時間帯を、当該居住者が部屋に居る時間帯として特定する。このため、一定の高い精度をもって、特定の居住者が部屋に居る時間帯を特定可能である。そして、一定の高い精度をもって特定した居住者が部屋にいる時間帯に基づいてライフスタイルを推測するため、より適切にライフスタイルの推測が可能となる。
【００１８】
また、本発明は、前記家屋情報には、前記家屋を構成する前記部屋の属性を示す情報と、前記端末が設置されている前記部屋を示す情報とが含まれ、前記情報処理部は、前記部屋の属性を示す情報と、前記端末が設置されている前記部屋を示す情報とに基づいて、前記端末が設置されている前記部屋の属性を検出し、検出した属性と、前記端末から入力された前記所定の検出手段による検出結果に基づいて、居住者のライフスタイルを推測することを特徴とする。
ここで、部屋の属性とは、例えば、リビングや、寝室、キッチン等、部屋の用途に応じた分類のことである。
人のライフスタイルは、家屋を構成する部屋にどのような態様で居るかにより、ある程度推測することが可能である。しかしながら、部屋がどのような属性の部屋であるかにより、部屋への入室の態様は異なってくるため、ライフスタイルの推測に用いるアルゴリズムも部屋の属性によって異なってくる。
そして、上記構成によれば、サーバー装置は、部屋の属性を踏まえて、ライフスタイルの推測に係る処理を実行するため、端末から入力される検出結果に基づいて、どのような属性の部屋における検出結果であるのかを反映して、ライフスタイルを推測でき、より適切な推測を行うことができる。
つまり、サーバー装置は、部屋に設置されている端末と通信可能に接続され、かつ、端末が設置されている部屋を示す情報と、部屋の属性を示す情報とを記憶している特性、及び、端末の機能を活かして、ソフトウェアとハードウェアとの協働により、端末を介して、適切に推測されたライフスタイルに基づく有益な情報を提供する、という新たなサービスを提供可能である。
【００１９】
また、本発明は、前記端末は、前記家屋に設置されるものであり、所定の検出手段により前記端末が設置された位置に対応する位置における物体の移動の有無を検出する機能、及び、検出結果を出力する機能を備え、前記情報処理部は、前記家屋情報と、前記端末から入力された前記所定の検出手段による検出結果とに基づいて、居住者の安否を通知するための条件として予め定められたものが成立したか否かを判別し、成立した場合は、外部機器に対して所定の通知を行うことを特徴とする。
この構成によれば、サーバー装置は、端末に実装された機能を利用して、居住者の安否を通知するための所定の条件が成立した場合には、外部機器に対して通知を行い、当該外部の機器を介して居住者の安否を通知することが可能である。
【００２０】
また、本発明は、前記家屋情報には、前記家屋を構成する前記部屋の属性を示す情報と、前記端末が設置されている前記部屋を示す情報とが含まれ、前記情報処理部は、前記家屋情報と、前記端末から入力された前記所定の検出手段による検出結果とに基づいて、居住者の安否を通知するための条件として予め定められたものが成立したか否かを判別し、成立した場合は、前記外部機器に対して所定の通知を行う一方、前記家屋を構成する前記部屋の属性を示す情報と、前記端末が設置されている前記部屋を示す情報とに基づいて、前記端末が設置されている前記部屋の属性を検出し、検出した属性に応じて、前記条件の内容を変更することを特徴とする。
ここで、部屋の属性によって、部屋に入室する態様がことなる以上、居住者の安否を通知するための所定の条件は、部屋の属性によって動的に変更した方が適切である。これを踏まえ、上記構成によれば、サーバー装置は、端末が設置されている部屋の属性に応じて、当該所定の条件を変更するため、条件をより適切なものすることができ、ひいては、より適切な態様で安否通知を行うことができる。
つまり、上記構成によれば、サーバー装置は、部屋に設置されている端末と通信可能に接続され、かつ、端末が設置されている部屋を示す情報と、部屋の属性を示す情報とを記憶している特性、及び、端末の機能を活かして、ソフトウェアとハードウェアとの協働により、端末を介して、適切な態様で、外部の機器を介して安否通知を行う、という新たなサービスを提供可能である。
【００２１】
また、本発明は、前記端末には、前記家屋の居住者が所有する携帯端末が含まれていることを特徴とする。
この構成によれば、サーバー装置は、居住者が家屋内に居るか居ないかにかかわらず、要求に応じて、適宜、携帯端末を介して、所望のサービスを提供可能である。
【００２２】
また、上記目的を達成するために、本発明は、端末と、サーバー装置とが、ネットワークを介して通信可能に接続された情報処理システムであって、前記サーバー装置は、家屋の間取り、及び、前記家屋に配置される物品に関する家屋情報を更新可能に記憶する記憶部と、前記記憶部に記憶された前記家屋情報に基づいて、前記間取り又は前記物品の状態を踏まえた所定の処理を実行し、処理結果を端末に出力する情報処理部と、を備えることを特徴とする。
この構成によれば、情報処理システムにおけるサーバー装置は、家屋情報を記憶し、家屋情報に基づいて、家屋の間取り又は家屋に配置された物品の態様を踏まえた所定の処理を実行し、処理結果を端末に出力するため、端末を介して、家屋の間取り又は家屋に配置された物品の態様を踏まえた有益な情報を提供する、という新たなサービスを提供可能である。
【００２３】
また、本発明は、前記端末は、前記家屋に設置されるものであり、前記サーバー装置の前記記憶部は、ある１の前記端末について、当該１の前記端末が設置された前記家屋の間取り、及び、前記家屋に配置される前記物品に関する前記家屋情報を更新可能に記憶し、前記サーバー装置の前記情報処理部は、前記記憶部に記憶された前記家屋情報に基づいて、当該１の前記端末が設置された前記家屋の間取り又は前記１の前記端末が設置された前記家屋に配置された前記物品の状態を踏まえた所定の処理を実行し、処理結果を当該１の前記端末に出力することを特徴とする。
この構成によれば、サーバー装置は、端末を介して、端末が設置された家屋の間取りや、家屋に配置された物品の態様を踏まえた有益な情報を提供できる。
【発明の効果】
【００２４】
本発明によれば、端末を介して、部屋の間取りや物品が配置された場所を踏まえた新たなサービスを提供できる。
【図面の簡単な説明】
【００２５】
【図１】本実施形態に係る情報処理システムの構成を示す図である。
【図２】住居設置端末、及び、サービス提供サーバーの機能的構成を示すブロック図である。
【図３】部屋に住居設置端末が設置された様子の一例を示す図である。
【図４】各種ユーザーインターフェースを示す図である。
【図５】各種データベースのデータ構造を示す図である。
【図６】部屋形状情報を三次元座標系に展開した画像を示す図である。
【図７】部屋形状情報を二次元座標系に展開した画像を示す図である。
【図８】間取り／機器情報参照サービスに係る間取り画面を示す図である。
【図９】間取り／機器情報参照サービスにおける住居設置端末、及び、サービス提供サーバーの動作を示すフローチャートである。
【図１０】間取り／機器情報参照サービスにおいて、住居設置端末の部屋における位置、向きと、住居設置端末に表示される画像との関係を示す図である。
【図１１】外出時閲覧サービスにおける住居設置端末のタッチパネルの画面遷移図である。
【図１２】（Ａ）は外出時閲覧サービスにおけるサービス提供サーバーの処理の説明に利用する図であり、（Ｂ）は外出時閲覧サービスに係る領域表示画面を示す図である。
【図１３】外出時閲覧サービスにおける１つのサービスの態様を示す図である。
【図１４】天災情報通知サービスに係る天災情報表示画面を示す図である。
【図１５】天災情報通知サービスにおいて、住居設置端末の部屋における位置、向きとの関係で、住居設置端末に表示される画像を示す図である。
【図１６】ライフスタイルアドバイスサービスにおけるサービス提供サーバーの処理の説明に利用する図である。
【発明を実施するための形態】
【００２６】
以下、図面を参照して本発明の実施形態について説明する。
図１は、本実施形態に係る情報処理システム１の構成を示す図である。
図１に示すように、情報処理システム１は、サービス提供サーバー１０（サーバー装置）を備えている。
サービス提供サーバー１０は、サービス提供会社１１が開発、保守、運営するサーバー装置であり、後述する各種サービスは、このサービス提供サーバー１０におけるソフトウェアとハードウェアとの協働により実現される機能によって提供される。
サービス提供サーバー１０は、インターネット１２（ネットワーク）に接続されており、インターネット１２を介して、他の装置と通信可能である。サービス提供サーバー１０と、他の装置との間では、必要に応じて、所定の暗号化プロトコルに準じた通信や、仮想専用線等の既存の技術によりセキュアな通信が行われる。
【００２７】
図１に示すように、インターネット１２には、住居設置端末１５（端末）が接続されている。住居設置端末１５は、筐体の前面の広い領域にタッチパネル１６（表示部）が設けられたタブレット型の端末である。
この住居設置端末１５は、マンション１７の専用部分（一世帯が暮らす居住空間の範囲。以下、「マンション住居１８」という。）や、一戸建て１９等の家屋（住居）に常設（設置）される端末である。本実施形態では、サービス提供会社１１から、マンション住居１８や一戸建て１９等の住居の居住者に、入居時に、住居設置端末１５が渡され、また、住居に事前に設置される。この住居設置端末１５は、詳細は後述するが、住居において、住居を構成する１又は複数の部屋に設けられたクレードル２０に基本的に接続された状態とされる。
なお、住居設置端末１５は、以下のような装置であってもよい。すなわち、住居の居住者が所有するタブレット型の端末や、ノートパソコンに、所定のアプリケーションをインストールし、サービス提供サーバー１０から、居住者が所有する端末に対して、後述する各種サービスを提供できるような状態とすれば、この居住者が所有する端末が、「住居設置端末１５」として機能する。つまり、住居設置端末１５は、住居に設置される端末であって、サービス提供サーバー１０に接続可能であり、かつ、サービス提供サーバー１０から後述する各種サービスを受けることが可能な装置であれば、どのようなものであってもよい。
また、本実施形態では、家屋の一形態である住居に住居設置端末１５が設置された場合を例として、説明するが、住居設置端末１５が設置される家屋は、住居に限らず、店舗、工場、倉庫等であってもよい。すなわち、家屋とは、端末たる住居設置端末１５のユーザーが進入可能な空間を広く含む概念である。
本願発明は、住居に入居する居住者に、当該住居に常設される住居設置端末１５を提供した上で、当該居住者に対して、サービス提供サーバー１０の機能により、住居設置端末１５を介して、社会に存在しない新たなサービスを提供することを１つの目的としている。
以下の説明では、説明の明確化のため、住居設置端末１５は、マンション１７のマンション住居１８の居住者に提供され、マンション住居１８に設置されるものであるものとし、また、マンション住居１８の居住者を、単に、「居住者」という。この居住者が、住居設置端末１５のユーザーとなる。
【００２８】
図１に示すように、サービス提供サーバー１０には、基地局２１ａが接続された電話回線網２１及びインターネット１２を介して、又は、無線ＬＡＮ等の無線に係るアクセスポイント２２を介して、携帯電話２３Ａ（携帯端末）、携帯電話２３Ｂ（携帯電話）、及び、携帯電話２３Ｃ（携帯電話）が通信可能に接続されている。これら携帯電話２３Ａ〜２３Ｃは、ブラウザーがインストールされており、電話機能のほか、インターネット１２を介して、サービス提供サーバー１０にアクセスする機能を有している。これら携帯電話２３Ａ、２３Ｂ、及び、２３Ｃは、「端末」に含まれる概念である。
本実施形態では、居住者は、父、母、及び、娘の３人の家族であるものとする。そして、携帯電話２３Ａは父が所有し、携帯電話２３Ｂは母が所有し、携帯電話２３Ｃは娘が所有する携帯電話である。詳細は後述するが、居住者は、マンション住居１８に居ないときであっても、自身が所有する携帯電話を介してサービス提供サーバー１０にアクセスし、当該サービス提供サーバー１０の機能により有益なサービスの提供を受けることができる。
【００２９】
また、図１に示すように、インターネット１２には、天災情報通知サーバー２４（外部サーバー）が接続されている。この天災情報通知サーバー２４は、所定の天災があった場合に、その旨通知する機能を有するサーバー装置である。天災情報通知サーバー２４を運営する主体と、サービス提供会社１１との間では、必要な契約が結ばれており、所定の天災があった場合には、所定のプロトコルに準拠して、天災を通知する所定のフォーマットのデータが、天災情報通知サーバー２４からサービス提供サーバー１０に出力される。サービス提供サーバー１０は、入力されたデータに基づいて、後述するサービスを提供する。
なお、天災とは、地震や、洪水、雨等の自然災害や、火事等の災害等、起こりうる様々な事象を広く含む概念である。
また、図１に示すように、サービス提供サーバー１０には、個人用端末２５がインターネット１２を介して通信可能に接続されている。個人用端末２５は、居住者とは別の人間が所有するパーソナルコンピューターである。
【００３０】
図２は、サービス提供サーバー１０、及び、住居設置端末１５の機能的構成を模式的に示すブロック図である。
図２に示すように、サービス提供サーバー１０は、制御部３０と、表示部３１と、入力部３２と、記憶部３３と、インターフェイス部３４と、を備えている。
制御部３０は、サービス提供サーバー１０の各部を中枢的に制御するものであり、演算実行部としてのＣＰＵや、このＣＰＵに実行される各種プログラムを不揮発的に記憶するＲＯＭ、ＣＰＵに実行されるプログラムやこのプログラムに係るデータ等を一時的に記憶するＲＡＭ、その他の周辺回路等を備えている。制御部３０は、情報処理部３０ａを備えているが、これについては後述する。
表示部３１は、液晶表示パネル等の表示パネルを備え、制御部３０の制御の下、表示パネルに各種情報を表示する。
入力部３２は、所定の入力デバイスに接続され、入力デバイスに対する操作を検出し、制御部３０に出力する。
記憶部３３は、ハードディスク等の不揮発性の記憶装置を備え、各種データを書き換え可能に不揮発的に記憶する。記憶部３３に記憶された各データベースについては後述する。
インターフェイス部３４は、制御部３０の制御の下、インターネット１２を介して、住居設置端末１５を含む各種装置と通信規格に準拠した通信を行う。
なお、サービス提供サーバー１０の構成は、図２に示すものに限らず、例えば、複数のサーバー装置が連係した構成であってもよく、また、集中型システム、分散型システムの一部の機能であってもよい。すなわち、後述する各種サービスに係る各種機能を実現可能な構成であれば、その形態を問わない。
【００３１】
また、住居設置端末１５は、タブレット型の端末であり、端末側制御部３７と、タッチパネル１６と、端末側記憶部３８と、インターフェイス部３９と、カメラ装置４０と、ＮＦＣタグリーダー４１と、電子コンパス４２と、を備えている。
端末側制御部３７は、住居設置端末１５の各部を中枢的に制御するものであり、ＣＰＵや、ＲＯＭ、ＲＡＭ、その他の周辺回路等を備えている。端末側制御部３７は、専用アプリケーション実行部３７ａを備え、この専用アプリケーション実行部３７ａは、撮影制御部３７ｂを備えているが、これら機能ブロックについては後述する。
タッチパネル１６は、端末側制御部３７の制御の下、液晶表示パネル等の表示パネルに各種情報を表示すると共に、タッチパネル１６に対するタッチ操作を検出し、端末側制御部３７に出力する。
端末側記憶部３８は、ＥＥＰＲＯＭ等の不揮発性メモリーを備え、各種データを書き換え可能に不揮発的に記憶する。住居設置端末１５には、専用アプリケーション３８ａが記憶されているが、この専用アプリケーション３８ａの機能については後述する。
インターフェイス部３９は、端末側制御部３７の制御の下、インターネット１２を介して、サービス提供サーバー１０を含む各種装置と通信規格に準拠した通信を行う。
カメラ装置４０は、ＣＣＤイメージセンサーやＣＭＯＳイメージセンサー等の撮像素子、撮影レンズ群、ズームやフォーカス等の調整を行うためにレンズ群を駆動するレンズ駆動部等を備え、端末側制御部３７の撮影制御部３７ｂの制御の下、撮影を行う。
撮影制御部３７ｂは、専用アプリケーション３８ａの所定のプログラムの機能によって実現される機能ブロックであり、カメラ装置４０が備える撮像素子から出力されたデータを所定のファイル形式の画像データに変換して撮影画像データを生成し、各種画像処理を実行する。撮影制御部３７ｂの詳細な処理については後述する。
ＮＦＣタグリーダー４１は、アンテナや、ＲＦ部、変調／復調部等を備え、ＮＦＣタグとの間でＮＦＣの規格に準拠した近距離無線通信を行う。
電子コンパス４２は、地磁気センサー等を備え、住居設置端末１５が向く方向の方位に関する検出値を端末側制御部３７に出力する。端末側制御部３７は、電子コンパス４２から入力された検出値に基づいて、住居設置端末１５が向く方向の方位を示す情報である「端末向き情報」を生成する。
【００３２】
図３は、端末側制御部３７が、マンション住居１８を構成する部屋の１つに設置された様子の一例を模式的に示す図である。
本実施形態では、図３の例に示すように、タブレット型の端末である住居設置端末１５のクレードル２０が、部屋の壁に取り付けられている。そして、クレードル２０に住居設置端末１５が接続された場合、カメラ装置４０のレンズ１５ａが壁側ではなく、部屋の内部側を向く状態となる。
なお、本実施形態では、クレードル２０は、台座２０ａに住居設置端末１５を嵌め込むタイプのものであり、住居設置端末１５がクレードル２０に接続された場合、安定して固定された状態となる。また、図３の一例では、クレードル２０は、壁に取り付けられているが、クレードル２０の位置はこの例に限らず、棚や台等に載置されてもよく、柱に取り付けられてもよい。ただし、後述するライフスタイルアドバイスサービスＳ５、及び、安否通知サービスＳ６を適切に提供するため、クレードル２０に取り付けられたときに、レンズ１５ａを介して部屋の中のできるだけ広い範囲を撮影できる状態となることが望ましい。
【００３３】
以上のような構成の下、サービス提供サーバー１０は、住居設置端末１５を介して、居住者に対し、以下のサービスを提供する。
以下、サービスを提供するにあたっての前提を簡単に説明した上で、サービス提供サーバー１０が提供するサービスのそれぞれについて詳細に説明する。
【００３４】
＜前提＞
サービス提供サーバー１０によるサービスの提供の前提として、居住者に対して、住居設置端末１５が提供される。提供の方法は、入居に先立って手渡しされてもよく、また、事前にクレードル２０に接続しておき、居住者が入居したときに、それを手に取るようにしてもよい。
居住者は、住居設置端末１５を利用して、利用者登録を行う。利用者登録は以下の態様で行われる。
なお、以下の説明において、サービス提供サーバー１０の制御部３０の情報処理部３０ａの機能は、ＣＰＵがプログラムを読み出して実行する等、ハードウェアとソフトウェアとの協働により実現される。
また、住居設置端末１５の端末側制御部３７の専用アプリケーション実行部３７ａ、及び、撮影制御部３７ｂの機能は、ＣＰＵが専用アプリケーション３８ａを読み出して実行する等、ハードウェアとソフトウェアとの協働により実現される。
【００３５】
利用者登録に際し、まず、居住者は、住居設置端末１５に予めインストールされている専用アプリケーション３８ａを立ち上げる。初めて専用アプリケーション３８ａが立ち上げられた場合、専用アプリケーション実行部３７ａは、ブラウザーを立ち上げ、サービス提供サーバー１０上の所定のアドレスにアクセスする。当該アクセスに応じて、サービス提供サーバー１０の情報処理部３０ａは、ユーザーインターフェースＵＩ１（図４（Ａ））に係るＨＴＭＬファイルやＸＭＬファイル等の描画ファイルを住居設置端末１５に送信し、住居設置端末１５のタッチパネル１６にユーザーインターフェースＵＩ１を表示させる。
図４（Ａ）は、住居設置端末１５のタッチパネル１６に表示されたユーザーインターフェースＵＩ１の一例を示す図である。
図４（Ａ）に示すように、ユーザーインターフェースＵＩ１は、利用者コードＪ２を入力するための入力欄Ｎ１と、パスワードＪ３を入力するための入力欄Ｎ２と、利用者登録の実行を指示するボタンＢ１を有している。入力欄Ｎ１に入力すべき利用者コードＪ２、及び、入力欄Ｎ２に入力すべきパスワードＪ３は、住居設置端末１５の不正利用を防止すべく、サービス提供会社１１が事前に設定したものであり、例えば、サービス提供会社１１から、マンション住居１８のマンション１７の管理者等を介して居住者に通知され、また例えば、郵便、電話連絡、メール、その他の手段を介して、サービス提供会社１１から居住者に通知される。
【００３６】
居住者が、ユーザーインターフェースＵＩ１の入力欄Ｎ１、及び、入力欄Ｎ２にソフトウェアキーボードによって利用者コードＪ２、及び、パスワードＪ３を入力し、ボタンＢ１をタッチ操作すると、ユーザーインターフェースＵＩ１に係る描画ファイルに所定のスクリプト言語で記述されたプログラムの機能により、住居設置端末１５に一意に付与された端末識別コードＪ１と、入力された利用者コードＪ２、及び、パスワードＪ３とを含むデータＤ１が、サービス提供サーバー１０に送信される。
なお、以下の説明では、説明の便宜のため、情報処理部３０ａが住居設置端末１５に描画ファイルを送信して、当該描画ファイルに係るユーザーインターフェースや、所定の画像、画面をタッチパネル１６に表示させることを、単に、「情報処理部３０ａは、住居設置端末１５にユーザーインターフェース（又は、画像、画面）を表示させる」と表現することがあるものとする。また、描画ファイルに実装されたプログラムの機能により住居設置端末１５からサービス提供サーバー１０にデータを送信することを、単に、「住居設置端末１５からサービス提供サーバー１０にデータを送信する」と表現することがあるものとする。
データＤ１を受信すると、サービス提供サーバー１０の制御部３０の情報処理部３０ａは、利用者情報データベースＤＢ１を参照して、認証を行う。
【００３７】
図５（Ａ）は、利用者情報データベースＤＢ１のデータ構造の一例を示す図である。
図５（Ａ）に示すように、利用者情報データベースＤＢ１の１件のレコードは、端末識別コードＪ１と、利用者コードＪ２と、パスワードＪ３と、端末基本情報Ｊ４０と、を有している。
利用者情報データベースＤＢ１では、サービス提供会社１１が提供する住居設置端末１５ごとにレコードが生成されている。サービス提供会社１１は、住居設置端末１５ごとに、利用者コードＪ２と、パスワードＪ３とを設定し、対応するレコードにおいて、端末識別コードＪ１、利用者コードＪ２、及び、パスワードＪ３を対応付けて記憶する。なお、端末基本情報Ｊ４０とは、住居設置端末１５の種類や、バージョン等、住居設置端末１５に関する基本的な情報のことである。
さて、上記データＤ１を受信すると、情報処理部３０ａは、データＤ１における利用者コードＪ２及びパスワードＪ３の組み合わせと、利用者情報データベースＤＢ１の対応するレコードにおける利用者コードＪ２及びパスワードＪ３との組み合わせが一致するか否かにより認証を行う。
なお、本実施形態では、一度、認証が成功すると、その後は、専用アプリケーション３８ａの立ち上げ時に、サービス提供サーバー１０は、利用者コードＪ２及びパスワードＪ３の入力を伴う認証を行わない構成となっている。すなわち、サービス提供サーバー１０の情報処理部３０ａは、認証が成功した住居設置端末１５について、その端末識別コードＪ１を管理する。そして、サービス提供サーバー１０と、住居設置端末１５との間で通信を行う場合、住居設置端末１５からサービス提供サーバー１０に対して、所定のプロトコルに準拠して、端末識別コードＪ１が送信される構成となっている。サービス提供サーバー１０の情報処理部３０ａは、受信した端末識別コードＪ１をキーとして、当該コードに係る住居設置端末１５の認証が完了しているか否か判別し、認証が完了している場合は、後述する各種サービスの提供が可能であると判別する。なお、専用アプリケーション３８ａの立ち上げ時に、都度、利用者コードＪ２、及び、パスワードＪ３の入力を求め、入力された情報に基づいて認証を行う構成であってもよいことは勿論である。
【００３８】
さらに、居住者のそれぞれ（本例では、父、母、及び、娘）は、自身の携帯電話２３Ａ〜２３Ｃを利用して、家族情報登録を行う。以下、家族情報登録について、携帯電話２３Ａを利用して、父が家族情報登録を行う場合を例として説明する。
父は、予め、携帯電話２３Ａに所定のアプリケーションをインストールする。当該所定のアプリケーションは、携帯電話２３Ａによって後述する各種サービスを利用するためのアプリケーションであり、サービス提供会社１１やその関連会社により提供される。携帯電話２３Ａへの所定のアプリケーションのインストール方法は、既存のアプリケーションダウンロードシステムを利用した方法等、どのような方法であってもよい。
父が、携帯電話２３Ａの所定のアプリケーションを立ち上げると、当該所定のアプリケーションの機能により、サービス提供サーバー１０との間で所定の通信が行われ、携帯電話２３Ａの表示パネルに、ユーザーインターフェースＵＩ２（図４（Ｂ））が表示される。
図４（Ｂ）は、ユーザーインターフェースＵＩ２の一例を示す図である。
図４（Ｂ）に示すように、ユーザーインターフェースＵＩ２は、利用者コードＪ２、及び、パスワードＪ３を入力する入力欄のほか、続柄（マンション住居１８に住居する世帯における続柄であり、例えば、父、母、長男、次女等）、年齢、性別、及び、職業（会社員や、専業主婦、中学生等）を入力するための入力欄Ｎ３を有している。入力欄Ｎ３への入力は、プルダウンメニューからの選択により行う構成となっており、適切な選択肢が十分に用意されている。
父は、利用者コードＪ２、及び、パスワードＪ３を適切な入力欄に入力すると共に、自身に関する情報を入力欄Ｎ３に入力し、入力が完了すると、入力を確定するためのボタンＢ２を操作する。ボタンＢ２が操作されると、利用者コードＪ２、パスワードＪ３、入力された情報、及び、携帯電話２３Ａに一意に付与された「携帯電話識別コードＪ９」を含むデータＤ２が住居設置端末１５からサービス提供サーバー１０に送信される。
データＤ２を受信すると、サービス提供サーバー１０の情報処理部３０ａは、利用者コードＪ２、及び、パスワードＪ３に基づいて、利用者情報データベースＤＢ１を利用して、認証を行うと共に、家族情報データベースＤＢ２にレコードを生成する。
【００３９】
図５（Ｂ）は、家族情報データベースＤＢ２のデータ構造の一例を示す図である。
図５（Ｂ）に示すように、家族情報データベースＤＢ２の１件のレコードは、端末識別コードＪ１と、家族識別コードＪ４と、続柄を示す続柄情報Ｊ５と、年齢を示す年齢情報Ｊ６と、性別を示す性別情報Ｊ７と、職業を示す職業情報Ｊ８と、携帯電話識別コードＪ９と、現在位置情報Ｊ１０と、を有している。家族識別コードＪ４は、各居住者に一意に割り振られる識別コードである。
情報処理部３０ａは、データＤ２を受信すると、家族情報データベースＤＢ２にアクセスして１件のレコードを生成する。そして、情報処理部３０ａは、家族識別コードＪ４を生成すると共に、生成したレコードにおいて、端末識別コードＪ１と、家族識別コードＪ４と、続柄に係る続柄情報Ｊ５と、年齢に係る年齢情報Ｊ６と、性別に係る性別情報Ｊ７と、職業に係る職業情報Ｊ８と、データＤ２に含まれる携帯電話識別コードＪ９と、後述する現在位置情報Ｊ１０とを対応付けて記憶する。
以上のようにして、家族情報データベースＤＢ２に、父に関するレコードが生成され、これにより、父の家族情報登録が完了する。以後、父は、自身が所有する携帯電話２３Ａを介してサービス提供サーバー１０の機能により提供される各種サービスを受けることが可能となる。
なお、携帯電話２３Ａからサービス提供サーバー１０に対してアクセスする場合、携帯電話２３Ａからサービス提供サーバー１０に対して、携帯電話識別コードＪ９が送信される構成となっている。サービス提供サーバー１０の情報処理部３０ａは、携帯電話識別コードＪ９をキーとして家族情報データベースＤＢ２を参照し、携帯電話２３Ａ（の使用者である父）がサービスを受けるための認証が完了しているか否かを判別する。
以下の説明では、父、母、及び、娘のそれぞれが、上述した手順により、自身の携帯電話２３Ａ、２３Ｂ、及び、２３Ｃを利用して家族情報登録を行い、家族情報データベースＤＢ２にこれらの者に係るレコードが適切に生成されているものとする。
なお、上記例では、各居住者が、自身が所有する携帯電話を利用して、家族情報登録を行う場合を例としたが、住居設置端末１５を利用して同様の手順により、家族情報登録を行うことができる構成となっている。この場合、携帯電話識別コードＪ９は、別途、所定の手段により携帯電話からサービス提供サーバー１０に出力される。
【００４０】
次に、サービス提供サーバー１０により提供されるサービスについて、サービスごとに詳述する。
【００４１】
＜間取り／機器情報閲覧サービスＳ１＞
以下、間取り／機器情報閲覧サービスＳ１について説明する。
間取り／機器情報閲覧サービスＳ１は、居住者が、マンション住居１８の間取りに関する有益な情報、及び、マンション住居１８に設置された機器（物品）に関する有益な情報を容易な手段で、的確に取得できることを可能とするサービスである。
なお、本実施形態において、機器（物品）には、テレビや、冷蔵庫等の家電、タンスや棚等の家具、通帳や印鑑、洋服、財布等の家屋の居住者等が保持し使用する「もの」、等、住居（家屋）に設置され、配置され、一時的継続的に収納され得る物体が広く含まれる。本実施形態では、機器と、物品とは、同様の概念である。
まず、間取り／機器情報閲覧サービスＳ１の提供に利用される間取り情報データベースＤＢ３、及び、設置機器情報データベースＤＢ４について、説明する。
図５（Ｃ）は、間取り情報データベースＤＢ３のデータ構造の一例を示す図である。
図５（Ｃ）に示すように、間取り情報データベースＤＢ３は、端末識別コードＪ１と対応付けて住居形状情報Ｊ１１を記憶している。
住居形状情報Ｊ１１とは、マンション住居１８の間取りを、所定の三次元座標系Ｑにおける立体的形状によって表現したデータのことである。より具体的には、住居形状情報Ｊ１１は、マンション住居１８の形状を、三次元座標系Ｑにおける点の集合によって表したときの、各点の座標を含む情報である。
【００４２】
図６は、三次元座標系Ｑに、住居形状情報Ｊ１１を展開したものの一例を示す図である。
図６に示すように、住居形状情報Ｊ１１は、マンション住居１８の立体的形状を座標系における点の集合として表現しており、マンション住居１８の立体的形状の各頂点の座標を保持すると共に、マンション住居１８を構成する各部屋の立体的形状の各頂点の座標を保持している。
図７は、三次元座標系ＱにおけるＸ−Ｙ座標（以下、「二次元座標系ｑ」という。）の一例を示す図である。
二次元座標系ｑに展開される画像は、マンション住居１８の「区画」を、座標系における点と点とを結ぶ線分として表した図となる。例えば、図７の二次元座標系ｑに展開された画像では、区画ＫＫ１が、点ａ１の座標と、点ａ２の座標とを結ぶ線分として定義される。
ここで、二次元座標系ｑにおいて、Ｘ軸プラス方向は、マンション住居１８における実際の東に向かう方向と一致しており、Ｘ軸マイナス方向は、マンション住居１８における実際の西に向かう方向と一致している。同様に、二次元座標系ｑにおいて、Ｙ軸プラス方向は、マンション住居１８における実際の北に向かう方向と一致しており、Ｙ軸マイナス方向は、マンション住居１８における実際の南に向かう方向と一致している。
なお、図６、７の例では、説明の便宜を考慮して、住居形状情報Ｊ１１を、非常に単純化しているが、例えば、壁の厚みや、部屋に設けられた設備（キッチンカウンター等）、２階や３階の階層等、住居の間取りを表す上で、適切な情報が付加されていても良いことは勿論である。また、住居形状情報Ｊ１１の態様は、三次元座標系Ｑにおける座標の情報に限らない。すなわち、住居形状情報Ｊ１１は、部屋の形状を表し、かつ、情報処理部３０ａが後述する各種サービスを実現するための処理を行う際に、必要十分な情報を保持していれば、その態様はどのようなものであってもよい。
【００４３】
図５（Ｃ）に示すように、間取り情報データベースＤＢ３の１件のレコードは、さらに、第１部屋情報Ｊ１２、第２部屋情報Ｊ１３、及び、第３部屋情報Ｊ１４を有している。本例では、マンション住居１８には、第１部屋Ｈ１（図７の二次元座標系ｑにおいて点ａ１、ａ２、ａ３、及び、ａ４を頂点とする矩形の領域）、第２部屋Ｈ２（図７の二次元座標系ｑにおいて点ａ３、ａ５、ａ６、及び、ａ７を頂点とする矩形の領域）、及び、第３部屋Ｈ３（図７の二次元座標系ｑにおいてａ６、ａ７、ａ８、及び、ａ９を頂点とする矩形の領域）の３つの部屋が存在するものとする。そして、第１部屋情報Ｊ１２〜第３部屋情報Ｊ１４は、それぞれ、第１部屋Ｈ１〜第３部屋Ｈ３に関する情報である。
なお、マンション住居１８は、当然、トイレや風呂場、ベランダ、廊下等の構成要素を有しているが、本実施形態では、説明の便宜のため、これら構成要素については考慮しない。
図５（Ｄ）は、第１部屋情報Ｊ１２のデータ構造を示す図である。
図５（Ｄ）に示すように、第１部屋情報Ｊ１２は、部屋形状情報Ｊ１５（部屋の形状、及び、サイズに関する情報）と、部屋属性情報Ｊ１６と、配置機器情報Ｊ１７と、を有している。
部屋形状情報Ｊ１５とは、三次元座標系Ｑに展開したマンション住居１８の立体的形状において、部屋に対応する立体的形状の領域（空間）の各頂点の座標を示す情報のことである。例えば、第１部屋Ｈ１に係る部屋形状情報Ｊ１５は、図６の三次元座標系Ｑにおける点ａ１、ａ２、ａ３、ａ４、及び、点ｂ１、ｂ２、ｂ３、ｂ４のそれぞれの座標を示す情報である。
ここで、情報処理部３０ａは、三次元座標系Ｑにおける１の点の座標と、他の点の座標とを入力として、実際のマンション住居１８における当該１の点に対応する位置と、当該他の点に対応する位置との距離を算出する機能が実装されている。例えば、情報処理部３０ａは、三次元座標系Ｑにおける点ａ１の座標と、点ａ２の座標とを入力として、実際のマンション住居１８における点ａ１に対応する位置と、点ａ２に対応する位置との距離を算出可能である。従って、情報処理部３０ａは、１の部屋に係る部屋形状情報Ｊ１５に基づいて、当該１の部屋の形状を識別できると共に、そのサイズ（例えば、部屋の立体的形状の各辺の実際の長さ）を算出可能である。つまり、部屋形状情報Ｊ１５は、部屋の形状、及び、サイズに関する情報である。
部屋属性情報Ｊ１６とは、部屋の属性を示す情報である。部屋の属性とは、リビングや、寝室、キッチン等、部屋の用途に応じた分類のことである。サービス提供サーバー１０によって提供される所定のユーザーインターフェースによって、居住者は、予め用意された複数の部屋の属性から任意の１つの属性を選択し、また、既に選択した属性をいつでも変更できる構成となっており、情報処理部３０ａは、ユーザーの指示に応じて、部屋属性情報Ｊ１６を適切な値とする。
配置機器情報Ｊ１７とは、部屋に配置された機器に関する情報である。
なお、第２部屋情報Ｊ１３、及び、第３部屋情報Ｊ１４は、第１部屋情報Ｊ１２と同様のデータ構造であり、詳細な説明は省略する。
【００４４】
図５（Ｅ）は、配置機器情報Ｊ１７のデータ構造を示す図である。
以下の説明では、顧客がマンション住居１８の第１部屋Ｈ１に、テレビＴＶと、テレビラックＴＲと、住居設置端末１５のクレードル２０と、が配置されているものとする。上述したように、「機器」とは、テレビや、冷蔵庫等の家電や、タンスや、棚、ソファー、ベッド等の家具等、部屋に設置され得る物体を広く含む概念である。
配置機器情報Ｊ１７は、対応する部屋に配置されている機器のそれぞれについて、機器に一意に割り振られた機器識別コードＪ１８と、機器配置／形状情報Ｊ１９と、の組み合わせを保持する情報である。
図５（Ｅ）に示す配置機器情報Ｊ１７は、第１部屋Ｈ１に配置された各機器について、機器識別コードＪ１８、及び、機器配置／形状情報Ｊ１９の組み合わせを保持しており、エリアＡＲ１は、テレビＴＶに割り振られた機器識別コードＪ１８と、テレビＴＶの機器配置／形状情報Ｊ１９とを有し、エリアＡＲ２は、テレビラックＴＲに係る機器識別コードＪ１８と機器配置／形状情報Ｊ１９とを有し、エリアＡＲ３は、クレードル２０に係る機器識別コードＪ１８と機器配置／形状情報Ｊ１９とを有している。
機器配置／形状情報Ｊ１９とは、三次元座標系Ｑに展開したマンション住居１８の立体的形状において、機器を表す多角形形状の各頂点の座標を保持する情報のことである。例えば、テレビラックＴＲに係る機器配置／形状情報Ｊ１９は、図６の三次元座標系Ｑにおける点ａ１０、ａ１１、ａ１２、ａ１３、及び、点ｂ１０、ｂ１１、ｂ１２、ｂ１３のそれぞれの座標を保持する情報である。この機器配置／形状情報Ｊ１９により、ある１の部屋における機器の位置、及び、機器のサイズ、形状が把握可能であるため、機器配置／形状情報Ｊ１９は、機器の配置場所を示す情報と、機器の形状、及び、サイズに関する情報とを含む情報である。
【００４５】
次に、設置機器情報データベースＤＢ４について、説明する。
図５（Ｆ）は、設置機器情報データベースＤＢ４のデータ構造を示す図である。
マンション住居１８に設置された機器のそれぞれについて、関連する情報を保持するデータベースである。
設置機器情報データベースＤＢ４では、マンション住居１８に設置されている機器のそれぞれについてレコードが生成されており、１件のレコードには、端末識別コードＪ１及び機器識別コードＪ１８と対応付けて、機器種類情報Ｊ２０と、電子マニュアルＪ２１と、保証書ファイルＪ２２と、が記憶されている。
機器種類情報Ｊ２０とは、機器の種類を示す情報である。機器の種類には、例えば、テレビや、テレビラック、ソファー、通帳等がある。
電子マニュアルＪ２１とは、機器の電子化されたマニュアルのことである。なお、本実施形態では、設置機器情報データベースＤＢ４において、電子マニュアルＪ２１自体が記憶されている構成であるが、機器のメーカーや、電子マニュアルを管理する専門の会社等が、インターネット１２上で公開している電子マニュアルを利用する場合は、電子マニュアルに係るファイルの保存先のＵＲＬが記憶されている構成であってもよい。
保証書ファイルＪ２２とは、機器の保証書のデジタルデータである。
本実施形態では、この設置機器情報データベースＤＢ４の特定のレコードにおける所定のフィールドへの情報の格納、情報の内容の変更を、居住者が、容易に行うことができるようになっているが、これについては後に詳述する。
【００４６】
なお、「家屋情報」とは、間取り情報データベースＤＢ３、及び、設置機器情報データベースＤＢ４に格納された少なくとも一部の情報、及び、これらデータベースに格納された少なくとも一部の情報の内容に対応する内容を有する情報、対応する機能を有する情報を意味する。従って、これらデータベースに含まれる情報の全てや、間取り情報データベースＤＢ３のみの情報や、これらデータベースの情報のある特定の情報のみを意味するわけではなく、また、これらデータベースに格納された情報と完全に同一な情報を意味するわけではない。
【００４７】
さて、以上のような、間取り情報データベースＤＢ３と、設置機器情報データベースＤＢ４の構成の下、間取り／機器情報閲覧サービスＳ１は、サービス提供サーバー１０によって以下のようにして提供される。
まず、居住者は、住居設置端末１５の専用アプリケーション３８ａを起動して、サービス開始画面ＵＩ３（図４（Ｃ））をタッチパネル１６上に表示させる。次いで、居住者は、間取り／機器情報閲覧サービスＳ１の開始を指示するためのボタンＢ４をタッチ操作する。ボタンＢ４がタッチ操作されると、その旨を示すデータが、住居設置端末１５からサービス提供サーバー１０に出力される。
サービス提供サーバー１０の情報処理部３０ａは、住居設置端末１５からの入力により、ボタンＢ４が操作されたことを検出すると、間取り画面ＵＩ４（図８）を表示させるための描画データを生成する描画データ生成処理を実行し、描画データを住居設置端末１５に出力し、間取り画面ＵＩ４をタッチパネル１６に表示させる。
【００４８】
図８は、間取り画面ＵＩ４の一例を模式的に示す図である。
描画データ生成処理において、情報処理部３０ａは、間取り情報データベースＤＢ３の住居形状情報Ｊ１１を二次元座標系ｑに展開することにより、描画データに各部屋の「区画」を描画し、部屋の間取りを描画する。なお、「描画データに画像を描画する」とは、描画データに基づいて間取り画面ＵＩ４等の画面を表示したときに、当該画面の適切な位置に当該画像が表示されるように、描画データを編集、生成することをいう。
次いで、情報処理部３０ａは、マンション住居１８を構成する各部屋の部屋形状情報Ｊ１５（図５（Ｄ））に基づいて、描画した間取りにおける各部屋の位置を認識し、各部屋に対応する位置に吹出しを描画する。次いで、情報処理部３０ａは、各部屋の部屋属性情報Ｊ１６（図５（Ｄ））に基づいて、描画した吹出しのそれぞれに、部屋の属性を示す情報を描画する。例えば、第１部屋に係る部屋属性情報Ｊ１６が示す属性が「リビング」である場合は、対応する吹出しに文字列「リビング」を描画する。
さらに、描画データ生成処理において、情報処理部３０ａは、各部屋の配置機器情報Ｊ１７（図５（Ｄ））の機器配置／形状情報Ｊ１９（図５（Ｅ））に基づいて、マンション住居１８に設置されている各機器の輪郭（二次元座標系ｑに表すことが可能な２次元的な輪郭）を描画する。次いで、情報処理部３０ａは、描画した各機器に対応付けて吹出しを描画し、各機器の機器種類情報Ｊ２０（図５（Ｆ））に基づいて、描画した吹出しのそれぞれに、機器の種類を示す情報を描画する。
次いで、情報処理部３０ａは、各機器に対応付けて描画した吹出しのそれぞれに、電子マニュアル表示ボタンＬ１と、保証書表示ボタンＬ２とを描画する。これらボタンは、描画データに係るＨＴＭＬファイル等の描画ファイル上のプログラムの機能により、タッチパネル１６に間取り画面ＵＩ４が表示されたときにタッチ操作可能な状態となる。
【００４９】
間取り／機器情報閲覧サービスＳ１において、サービス提供サーバー１０の情報処理部３０ａは、以上のようにして生成された描画データに基づいて、住居設置端末１５のタッチパネル１６上に、図８に示す間取り画面ＵＩ４を表示させる。このため、居住者は、間取り画面ＵＩ４を参照することにより、マンション住居１８の間取り、及び、当該住居を構成する各部屋の属性を的確に把握することができる。さらに、居住者は、マンション住居１８に設置された機器について、その設置場所、種類、形状、部屋に対する相対的な大きさ等を的確に把握することができる。
【００５０】
ここで、間取り／機器情報閲覧サービスＳ１において、サービス提供サーバー１０の情報処理部３０ａは、間取り画面ＵＩ４を表示させる際、「住居設置端末１５の位置」、及び、「住居設置端末１５の向き」に応じて、タッチパネル１６を視認する居住者にとって、見やすい画像を表示させる。
すなわち、マンション住居１８の複数の所定の位置には、事前に、ＮＦＣタグが貼付け等の手段により設置されている。図７を援用して具体例を挙げて説明すると、本例では、位置Ｐ１〜位置Ｐ５のそれぞれの位置に、ＮＦＣタグが設置されている。ＮＦＣタグは、例えば、サービス提供会社１１が、マンションの管理会社等の協力を得て、事前に、マンション住居１８における適切な位置（例えば、壁紙の裏）に設置される。ＮＦＣタグのそれぞれは、メモリーに固有のタグ識別コードＪ２３を記憶しており、専用アプリケーション３８ａは、ＮＦＣタグリーダー４１に、住居設置端末１５に近接しているＮＦＣタグと近距離無線通信を行わせ当該ＮＦＣタグからタグ識別コードＪ２３を読み出させる機能、及び、読み出させたタグ識別コードＪ２３をサービス提供サーバー１０の情報処理部３０ａに送信する機能を有している。
また、サービス提供サーバー１０の記憶部３３には、ＮＦＣタグデータベースＤＢ５が記憶されている。
図５（Ｇ）は、ＮＦＣタグデータベースＤＢ５のデータ構造を示す図である。この図に示すように、ＮＦＣタグデータベースＤＢ５の１件のレコードは、タグ識別コードＪ２３と、タグ位置情報Ｊ２４と、を有している。タグ位置情報Ｊ２４とは、対応するＮＦＣタグが設置された位置を、上述した三次元座標系Ｑの座標として示す情報のことである。サービス提供会社１１の担当者、その他の適切な者は、マンション住居１８に設置された全てのＮＦＣタグの位置を把握した上で、全てのＮＦＣタグについて、ＮＦＣタグデータベースＤＢ５にレコードを生成し、各レコードにおいて、対応するＮＦＣタグのタグ識別コードＪ２３と、タグ位置情報Ｊ２４とを対応付けて記憶させる。なお、タグ位置情報Ｊ２４は、所定のソフトウェアツールにより、例えば、三次元座標系Ｑ、又は、二次元座標系ｑに展開された部屋形状情報に基づく画像の任意の位置を指定することにより自動で入力される等、簡易に設定できる手段が提供されている。
なお、本例では、マンション住居１８のどの位置に住居設置端末１５が位置している場合であっても、ＮＦＣタグリーダー４１と、いずれか１つのＮＦＣタグとの間で、通信リンクが確立されて近距離無線通信が行われるよう、各ＮＦＣタグが適切な位置に配置されているものとする。
【００５１】
図９は、間取り／機器情報閲覧サービスＳ１時の住居設置端末１５、及び、サービス提供サーバー１０の動作を示すフローチャートであり、（Ａ）は住居設置端末１５の動作を、（Ｂ）はサービス提供サーバー１０の動作をそれぞれ示している。
ユーザーからの間取り／機器情報閲覧サービスＳ１の提供の開始の指示に応じて、住居設置端末１５の端末側制御部３７の専用アプリケーション実行部３７ａは、その旨を示すデータを、サービス提供サーバー１０に送信する（ステップＳＡ１）。
当該データを受信すると、サービス提供サーバー１０の情報処理部３０ａは、住居設置端末１５の専用アプリケーション実行部３７ａと所定のプロトコルに準拠して通信し、最も近い位置に位置しているＮＦＣタグから、ＮＦＣタグリーダー４１によってタグ識別コードＪ２３を読み取らせ、タグ識別コードＪ２３を送信させることにより、タグ識別コードを取得する（ステップＳＢ１）。次いで、情報処理部３０ａは、ＮＦＣタグデータベースＤＢ５を参照し（ステップＳＢ２）、ステップＳＢ１で取得したタグ識別コードに対応するタグ位置情報Ｊ２４を取得する（ステップＳＢ３）。ここで、取得したタグ位置情報Ｊ２４が示す位置は、住居設置端末１５に近接するＮＦＣタグの位置であり、住居設置端末１５の位置と同視できる。次いで、情報処理部３０ａは、住居設置端末１５の専用アプリケーション実行部３７ａと所定のプロトコルに準拠して通信し、電子コンパス４２の検出値に基づいて生成された端末向き情報（住居設置端末１５が向く方向の方位を示す情報）を取得する（ステップＳＢ４）。
以上のようにして、タグ位置情報Ｊ２４、及び、端末向き情報を取得した後、情報処理部３０ａは、タグ位置情報Ｊ２４が示す位置が中心となり、かつ、住居設置端末１５の向きと、タッチパネル１６に表示される間取りの画像の向きとが対応した状態で間取りが表示された間取り画面ＵＩ４を表示させるための描画データを生成する（ステップＳＢ５）。
【００５２】
図１０は、住居設置端末１５の向きと、間取り画面ＵＩ４における間取りの画像の向きとの関係を説明するための図である。図１０（Ａ）において、（Ａ１）は、マンション住居１８における住居設置端末１５の向きの一例を示す図であり、（Ａ２）は、（Ａ１）が示す向きに住居設置端末１５が向いている場合にタッチパネル１６に表示される間取り画面ＵＩ４の一例を示す図である。図１０（Ｂ）における（Ｂ１）と（Ｂ２）との関係も同様である。
以下、図１０を利用して、ステップＳＢ５の処理について詳述する。なお、以下の説明において、住居設置端末１５の向きとは、図１０（Ａ１）、（Ｂ１）において矢印で例示するとおり、住居設置端末１５の下端から上端へ向かって延びる方向の方位のことを意味する。本実施形態では、住居設置端末１５の向きに３次元的な要素を含めないが、含めてもよいことは勿論である。
図１０（Ａ１）を参照し、住居設置端末１５が位置Ｐ２に近接した位置に位置しており、かつ、住居設置端末１５の向きが「北西」であるとする。この場合、情報処理部３０ａは、タグ位置情報Ｊ２４として位置Ｐ２を示す情報を取得し、かつ、端末向き情報として、北西を示す情報を取得することとなる。この場合、図１０（Ａ２）に示すように、情報処理部３０ａは、間取りにおける位置Ｐ２に対応する位置がタッチパネル１６の略中心に位置し、かつ、住居設置端末１５の上方向（図１０（Ａ２）において矢印Ｙ１で示す方向）と画面上に表示される間取りの北西に向かう方向とが略一致するように、間取り画面ＵＩ４を表示させる描画データを生成する。なお、上述したように、二次元座標系ｑにおけるＸ軸方向と現実の東−西方向とが対応しており、かつ、Ｙ軸方向と現実の北−南方向とが対応しているため、情報処理部３０ａは、座標に関する情報と、端末向き情報とに基づいて、間取り画面ＵＩ４における間取りの画像の角度の調整を行う。画像の角度の調整は、描画すべき画像を所定角度だけ回転させる既存の画像処理を利用して行われる。
このように、本実施形態では、間取り画面ＵＩ４において、間取りの画像の向きが、実際のマンション住居１８の向きと対応した状態となる。このため、間取り画面ＵＩ４を視認した居住者は、タッチパネル１６に表示された間取りと、自身の位置を踏まえた実際の間取りとの位置関係や、タッチパネル１６に表示された機器の位置と、自身の位置を踏まえた実際の機器の位置との位置関係とを、容易に把握でき、居住者の利便性が向上する。
なお、図１０（Ｂ１）のように、位置Ｐ１に近接した位置で、住居設置端末１５の向きが南向きの場合、図１０（Ｂ２）に示すように、間取り画面ＵＩ４における間取りの画像は、位置Ｐ１に対応する位置を中心として、上方向（矢印Ｙ１で示す方向）と画面上に表示される間取りの南に向かう方向とが略一致した状態で表示される。
ステップＳＢ５の処理は、描画データ生成処理に該当する。
【００５３】
次いで、情報処理部３０ａは、ステップＳＢ５で生成した描画データを住居設置端末１５に出力することにより（ステップＳＢ６）、住居設置端末１５のタッチパネル１６上に、間取り画面ＵＩ４を表示させる（ステップＳＡ２）。
このように、間取り／機器情報閲覧サービスＳ１では、マンション住居１８の間取りの画像を表示する際、住居設置端末１５の実際の位置、及び、住居設置端末１５の実際の向きを反映させて、ユーザーにとって見やすく、内容を把握しやすい画像が表示される。
なお、間取り／機器情報閲覧サービスＳ１中、情報処理部３０ａは、所定のサンプリング周期で、タグ位置情報Ｊ２４、及び、端末向き情報を取得し、取得したこれら情報に基づいて、画面上の間取りの画像の向きを調整する。
【００５４】
さて、住居設置端末１５のタッチパネル１６上に間取り画面ＵＩ４が表示された状態において、居住者により、電子マニュアル表示ボタンＬ１がタッチ操作された場合、サービス提供サーバー１０の情報処理部３０ａは、そのことを検出し、設置機器情報データベースＤＢ４に格納された電子マニュアルＪ２１に基づいて、対応する機器の電子マニュアルＪ２１をタッチパネル１６上に表示させる。これにより、ユーザーは、所望の機器のマニュアルを、容易、かつ、迅速に参照することができる。なお、なお、情報処理部３０ａは、電子マニュアル表示ボタンＬ１がタッチ操作されたときに、対応する電子マニュアルＪ２１が記憶されたサーバーにアクセスするようなプログラムをＨＴＭＬファイル等の描画ファイルに組み込み、当該プログラムの機能により、電子マニュアル表示ボタンＬ１がタッチ操作されたときに、電子マニュアルＪ２１が表示される構成としてもよい。
また、居住者により、保証書表示ボタンＬ２がタッチ操作された場合、サービス提供サーバー１０の情報処理部３０ａは、そのことを検出し、対応する機器の保証書ファイルＪ２２（図５（Ｆ）））に基づいて、住居設置端末１５のタッチパネル１６に保証書の画像を表示させる。これにより、居住者は、保証書に記載されている情報、例えば、保証期間等を簡易に把握可能となる。
【００５５】
＜機器情報登録サービスＳ２＞
次いで、機器情報登録サービスＳ２について説明する。
上述したとおり、間取り情報データベースＤＢ３は、マンション住居１８に設置された機器のそれぞれについて、機器識別コードＪ１８と、機器配置／形状情報Ｊ１９とを対応付けて記憶する。また、設置機器情報データベースＤＢ４は、マンション住居１８に設置された機器のそれぞれについて、機器識別コードＪ１８と対応付けて、機器種類情報Ｊ２０、電子マニュアルＪ２１、及び、保証書ファイルＪ２２を記憶する。そして、居住者は、機器情報登録サービスＳ２により、これら情報を容易に登録可能である。
【００５６】
詳述すると、居住者は、機器を購入等した場合に、その機器の保証書の面であって、機器の形名や、製造番号等、機器を特定するための情報が記録された面を住居設置端末１５のカメラ装置４０によって撮影する。
そして、サービス開始画面ＵＩ３（図４（Ｃ））において、居住者が、機器情報登録サービスＳ２の開始を指示するボタンＢ５をタッチ操作し、所定の指示を行うと、撮影した保証書の画像をサービス提供サーバー１０に送信するための所定のユーザーインターフェースが表示される。居住者は、当該ユーザーインターフェースを利用して、撮影によって生成された保証書の画像データをサービス提供サーバー１０に送信する。
【００５７】
サービス提供サーバー１０の情報処理部３０ａは、保証書の画像データを受信すると、当該画像データについて、既存の光学的な文字認識処理を実行し、保証書に記録された形名や、製造番号を認識する。次いで、情報処理部３０ａは、所定のプロトコルに準拠して、製造会社の所定のサーバーや、その他の必要なサーバーにアクセスし、認識した形名や、製造番号等をキーとして、機器に関する情報であってデータベースに登録すべき情報、例えば、機器種類情報や、電子マニュアルＪ２１等を取得する。なお、情報の取得は、サービス提供サーバー１０の機能により自動で行われるが、人為的な手段が介在してもよい。
次いで、情報処理部３０ａは、一意な値の機器識別コードＪ１８を生成し、設置機器情報データベースＤＢ４の対応するレコードにおいて、端末識別コードＪ１、及び、生成した機器識別コードＪ１８と対応付けて、取得した機器に関する各種情報を記憶する。その際、保証書ファイルＪ２２については、住居設置端末１５から受信した保証書の画像データを記憶する。
以上のようにして、機器に関する各種情報がデータベース上に登録される。従って、居住者は、新たな機器を購入した場合、住居設置端末１５のカメラ装置４０により、当該新たな機器の保証書を撮影し、所定のユーザーインターフェースを介して、撮影により生成された保証書の画像データを送信する、という非常に簡易な手段により、適切に、新たな機器に関する各種情報を、サーバー上のデータベースに登録することが可能となる。
なお、居住者が上記の各種情報について直接入力するためのユーザーインターフェース、及び、登録した情報の内容を変更するためのユーザーインターフェースが用意されており、居住者は、これらユーザーインターフェースを介して、各種情報を直接入力し、また、登録された情報の内容を改変することもできる。
また、新たな製品の保証書や、製品自体、製品の包装、パッケージに、製品を識別可能なバーコードや、二次元コードが付されている場合は、住居設置端末１５や携帯電話の機能でバーコード等を読み取り、読み取り結果をサービス提供サーバー１０に送信する。そして、サービス提供サーバー１０は、読み取り結果をキーとして、各種サーバーにアクセスし、当該製品の各種情報を取得してもよい。
さらにまた、住居設置端末１５等で、バーコード等を撮影して画像データをサービス提供サーバー１０に送信する。そして、サービス提供サーバー１０は、画像データにおけるバーコードの画像に基づいて、バーコードを読み取り、読み取り結果をキーとして、各種サーバーにアクセスし、当該製品の各種情報を取得してもよい。
【００５８】
また、ユーザーは、機器配置／形状情報Ｊ１９についても以下に示す簡易な手段で登録することができる。上述したように、機器配置／形状情報Ｊ１９とは、三次元座標系Ｑに展開したマンション住居１８の立体的形状において、当該機器に対応する多角形形状の領域の各頂点の座標を示す情報のことである。
図１２（Ｂ）を援用して説明すると、サービス開始画面ＵＩ３（図４（Ｃ））において、ボタンＢ５をタッチ操作し、所定の指示を行うと、新たな機器について、機器配置／形状情報Ｊ１９の登録の開始を指示するボタンが表示される。
居住者が当該ボタンをタッチ操作すると、図１２（Ｂ）に示す画面と同様に、部屋において新たな機器を設置可能な領域と、新たな機器のシンボル画像ＳＢ２（後述するシンボル画像ＳＢ１と同様の画像）が表された画面が、住居設置端末１５のタッチパネル１６上に表示される。
なお、情報処理部３０ａは、新たな機器を設置可能な領域を、後述する外出時閲覧サービスＳ３で説明する方法と同様の方法により算出する。また、情報処理部３０ａは、認識した形名や、製造番号、バーコード情報等をキーとして、所定のサーバーから当該機器の形状、サイズに関する情報を取得し、取得した情報に基づいてシンボル画像ＳＢ２を生成する。なお、新たな機器の形状、サイズに関する情報を入力する手段が別途用意されており、居住者が当該手段を用いて新たな機器の形状、サイズに関する情報を入力した場合は、情報処理部３０ａは、入力されたこれら情報に基づいて、シンボル画像ＳＢ２を生成する。
居住者は、図１２（Ｂ）に類する画面において、新たな機器を設置すべき場所（又は、設置した場所）に対応する位置にシンボル画像ＳＢ２を移動させ、確定ボタンを操作する。すると、住居設置端末１５から、シンボル画像ＳＢ２の三次元座標系Ｑにおける位置に関する情報が出力され、情報処理部３０ａは、入力された情報に基づいて、機器配置／形状情報Ｊ１９を生成し、間取り情報データベースＤＢ３の適切なフィールドに格納する。
このように、居住者は、簡易な手段で、機器配置／形状情報Ｊ１９を登録できる。
【００５９】
このほか、図１２（Ｂ）に示す画面のように部屋において新たな機器を設置可能な領域を明示した画面上に、機器の種類ごとに、アイコンを準備し、当該アイコンを、当該領域の所定の位置にドラッグ＆ドロップすることにより、住居設置端末１５からサービス提供サーバー１０に適切な情報が送信されて、機器の情報を登録できるようにしてもよい。さらに、アイコンの形状を変形可能に構成し、当該領域上で、当該領域のサイズ、形状との関係で、アイコンの形状を変形することにより、機器の形状に関する情報を登録できるようにしてもよい。このようなやり方で、機器の情報を登録できるようにすることにより、よりユーザーの利便性が向上する。
【００６０】
＜外出時閲覧サービスＳ３＞
次いで、外出時閲覧サービスＳ３について説明する。
このサービスは、例えば、以下の状況で利用されることが想定されたサービスである。すなわち、居住者が、ショッピングセンター等に外出し、マンション住居１８に設置する新たな機器の購入時に、購入しようとしている新たな機器が、マンション住居１８の間取りとの関係で、特定の部屋の所定の領域に配置可能な機器であるかを知りたいときに、利用されることが想定されたサービスである。
以下の説明では、居住者における父が、ショッピングセンターにおいて、第１部屋Ｈ１に配置するソファーを購入しようとしている場合において、「携帯電話２３Ａ」を介して上記サービスを受ける場合を例にして説明する。
また、携帯電話２３Ａは、いわゆるスマートフォンであり、タッチパネルを有しており、このタッチパネルに対するタッチ操作により、各種指示が行えるものとする。
なお、住居設置端末１５は、タブレット型の端末であり、持ち運び自在であるため、外出先に住居設置端末１５を持っていけば、以下説明するサービスを住居設置端末１５を介して受けることが可能である。つまり、居住者は、携帯電話２３Ａ、及び、住居設置端末１５のいずれを利用しても、外出時閲覧サービスＳ３を受けることが可能である。
【００６１】
居住者は、携帯電話２３Ａの所定のアプリケーションを起動して、サービス開始画面ＵＩ３（図４（Ｃ））をタッチパネル１６上に表示させ、外出時閲覧サービスＳ３の開始を指示するためのボタンＢ６を操作する。これにより、その旨のデータがサービス提供サーバー１０に送信される。なお、住居設置端末１５、及び、携帯電話２３Ａのサービス提供サーバー１０に対するアクセス先は同じであるため、いずれの端末でサービスを受ける場合も、同様の画面が表示される。これを踏まえ、本実施形態では、これら機器で表示される画面を特に区別して表現しない。
すると、サービス提供サーバー１０の情報処理部３０ａは、携帯電話２３Ａからの入力により、ボタンＢ６が操作されたことを検出し、図１１（Ａ）に示す部屋選択画面ＵＩ５を携帯電話２３Ａの表示部に表示させる。この部屋選択画面ＵＩ５は、新たな機器を配置しようとしている部屋を選択する画面であり、マンション住居１８を構成する各部屋を示すボタンが操作可能に表示される。各ボタンに表示される情報は、間取り情報データベースＤＢ３から適切に取得される。本例では、ソファーを第１部屋に配置予定であるものとする。部屋選択画面ＵＩ５において、居住者により第１部屋Ｈ１に対応するボタンＬ４が選択され、その旨のデータが送信されると、サービス提供サーバー１０の情報処理部３０ａは、図１１（Ｂ）に示す入力方法選択画面ＵＩ６を携帯電話２３Ａの表示部に表示させる。
【００６２】
入力方法選択画面ＵＩ６では、商品情報入力ボタンＬ５と、手動入力ボタンＬ６とが選択可能に表示されるが、本例では、商品情報入力ボタンＬ５がタッチ操作された場合を説明する。
商品情報入力ボタンＬ５が操作されたことを検出すると、情報処理部３０ａは、図１１（Ｃ）に示す商品情報入力画面ＵＩ７を携帯電話２３Ａの表示部（タッチパネル）に表示させる。当該画面には、購入しようとしている機器（本例ではソファー）について、製造会社、製造会社が付与した機器の形名、商品名称を入力する欄が表示される。これら情報は、店頭で商品を紹介する文章や、店員に問い合わせる等して取得可能な場合が多い。
これら欄に適切に情報が入力され、確定すると、入力された各情報がデータとして携帯電話２３Ａからサービス提供サーバー１０に送信される。サービス提供サーバー１０の情報処理部３０ａは、これら情報に基づいて、例えば、製造会社のサーバーや、その他の必要なサーバーに所定のプロトコルに準拠して当該機器に関する情報を問い合わせ、当該機器のサイズ、形状、及び、当該機器の種類を取得する。機器のサイズ、形状とは、例えば、ソファーであれば、縦何ｃｍ、横何ｃｍ、高さ何ｃｍといった情報や、その立体的形状を特定する情報である。機器のサイズ、形状の取得方法は上記に限らず、例えば、サービス提供サーバー１０が関連する情報を保持している場合は、当該情報を利用してもよく、また、人為的な手段が介在してもよい。
なお、商品情報入力画面ＵＩ７に入力された情報に基づいて、機器のサイズ、形状を取得できない場合もある。このような場合、情報処理部３０ａは、携帯電話２３Ａの表示部（タッチパネル）にその旨表示させると共に、後述する手動入力による情報の入力を促す旨表示させる。
部屋に配置しようとしている新たな機器のサイズ、形状を取得すると、情報処理部３０ａは、以下の処理を実行する。
【００６３】
以下、説明する処理は、新たな機器（本例では、ソファー）を配置しようとしている部屋（本例では、第１部屋Ｈ１）において、当該新たな機器を配置可能なスペースを算出する処理である。
まず、情報処理部３０ａは、図１２（Ａ）に示すように、間取り情報データベースＤＢ３の第１部屋情報Ｊ１２（図５（Ｃ）、（Ｄ））に基づいて、二次元座標系ｑに第１部屋Ｈ１に対応する領域を示す画像、及び、第１部屋Ｈ１に配置された機器に対応する領域を示す画像を展開した上で、第１部屋Ｈ１において、機器が配置されていない領域Ａ１（図１２（Ａ））を算出する。
さらに、情報処理部３０ａは、第１部屋Ｈ１に配置されている機器のそれぞれについて、その種類を取得し、機器が配置されている周辺に他の機器を配置することが制限されているものがあるか否かを取得する。
例えば、テレビは、その性質上、テレビの正面側の数メートルは、テレビの視聴を妨げるような機器は設置できず、また、食器棚等やタンス等、ドアや引き出しを有している機器は、ドアを開け、また、引き出しを引き出すためのある程度のスペースが必要であり、そのスペース内に機器を設置することができない。そして、本実施形態では、図示は省略するが、機器の種類ごとに、周辺に他の機器を配置することがどのような態様で制限されるかを示す情報（三次元座標系Ｑ、又は、二次元座標系ｑに展開可能な態様の情報）を保持しているデータベースが記憶部３３に記憶されており、情報処理部３０ａは、当該データベースの内容に基づいて、第１部屋Ｈ１に配置されている機器のそれぞれについて、各機器の種類をキーとして、上記制限に関する情報を取得する。
特に、上記制限に関する情報には、特定の１の機器に対応する所定の領域には、特定の他の機器の設置が制限される等、機器の種類が反映されて設置を制限する旨の情報が含まれている。例えば、テレビの正面３メートルの範囲（実際は、座標の情報として表されている）には、種類がソファーである機器は配置可能であるが、種類がタンスである機器は設置不可能である等の情報が上記制限に関する情報に含まれている。そして、後述する新機器設置可能領域Ａ３の算出にあたっては、この情報を適切に反映する。
本例では、テレビラックＴＲについて、その正面側の領域Ａ２（図１２（Ａ）参照）に、他の機器が配置されることが制限されるものとする。
【００６４】
次いで、情報処理部３０ａは、領域Ａ１から領域Ａ２を除いた領域である新機器設置可能領域Ａ３（図１２（Ａ）参照）を、新たな機器を設置可能な領域として確定する。次いで、情報処理部３０ａは、実装された所定の機能により、新機器設置可能領域Ａ３を構成する「辺」のそれぞれの実際の長さを算出する。上述したように、情報処理部３０ａは、座標に展開されたある１の線分について、当該１の線分の実世界での長さを算出する機能を有している。
次いで、情報処理部３０ａは、新機器設置可能領域Ａ３が明示され、かつ、当該領域の各辺の実際の長さが明示された領域表示画面ＵＩ８（図１２（Ｂ））を表示させる描画データを生成し、生成した描画データを携帯電話２３Ａに出力して、領域表示画面ＵＩ８を携帯電話２３Ａの表示部（タッチパネル）に表示させる。
【００６５】
図１２（Ｂ）は、領域表示画面ＵＩ８の一例を模式的に示す図である。
図１２（Ｂ）に示すように、領域表示画面ＵＩ８では、新たな機器（本例では、ソファー）を設置する部屋（本例では、第１部屋Ｈ１）において、当該新たな機器を設置可能な領域が明示される。このため、ユーザーは、領域表示画面ＵＩ８を参照することにより、第１部屋Ｈ１において機器を配置可能な領域を直感的に把握できる。さらに、居住者は、領域表示画面ＵＩ８を参照することにより、新機器設置可能領域Ａ３の各辺の長さの具体的な値を取得できる。このため、購入しようとしている機器について、第１部屋Ｈ１の所望の領域に実際に配置おくことが出来るか否かをより確実に把握できる。
【００６６】
さらに、領域表示画面ＵＩ８では、新たな機器のシンボル画像ＳＢ１が表示される。このシンボル画像ＳＢ１は、商品情報入力画面ＵＩ７に入力された情報に基づいて取得した機器のサイズ、形状に基づいて生成される画像であり、第１部屋Ｈ１の実際の形状、サイズに対する実際のソファーの形状、サイズの比と、商品情報入力画面ＵＩ７上の第１部屋Ｈ１の形状、サイズに対する、シンボル画像ＳＢ１の形状、サイズの比は一致している。
このシンボル画像ＳＢ１は、ＨＴＭＬファイル等の描画ファイルに実装されたプログラムの機能により、領域表示画面ＵＩ８内を自由に移動でき、かつ、自由に回転させて表示させることができる構成となっている。居住者は、領域表示画面ＵＩ８において、例えば、図１２（Ｂ）において二点鎖線で示すように、自身が新たな機器を設置しようとしている位置に対応する位置に、シンボル画像ＳＢ１を移動させ、この新機器設置可能領域Ａ３にシンボル画像ＳＢ１が収まるか否かを判別することにより、より直感的に、かつ、明確に、新たな機器の設置可能性を認識できる。
【００６７】
特に本実施形態では、部屋の高さと、設置しようとしている新たな機器の高さも踏まえて、居住者が、部屋に新たな機器が設置可能かを判別できる構成となっている。詳述すると、居住者により、領域表示画面ＵＩ８において、シンボル画像ＳＢ１が、新機器設置可能領域Ａ３内に配置されると、携帯電話２３Ａから、サービス提供サーバー１０に対して、二次元座標系ｑにおけるシンボル画像ＳＢ１に対応する領域の各頂点の座標を示す情報が送信される。シンボル画像ＳＢ１に対応する領域の各頂点を算出する機能は、携帯電話２３Ａの所定のアプリケーションに実装されていてもよく、また、領域表示画面ＵＩ８を表示させる描画ファイルのプログラムに実装されていてもよい。
二次元座標系ｑにおけるシンボル画像ＳＢ１に対応する領域の各頂点の座標を示す情報が入力されると、情報処理部３０ａは、当該領域における部屋の「高さ」を算出し、新たな機器の「高さ」と比較する。本実施形態では、住居形状情報Ｊ１１は、三次元座標系Ｑにおける座標の集合体によって、部屋の立体的形状を表す情報であるため、情報処理部３０ａは、住居形状情報Ｊ１１に基づいて、マンション住居１８の所定の領域における「高さ」を取得可能である。また、情報処理部３０ａは、新たな機器の「高さ」は、商品情報入力画面ＵＩ７に入力された情報に基づいて取得した機器のサイズ、形状により算出する。
そして、シンボル画像ＳＢ１が配置された領域の部屋の「高さ」よりも、新たな機器の「高さ」が低く、当該領域に当該新たな機器を配置可能な場合、情報処理部３０ａは、シンボル画像ＳＢ１を所定の色（例えば、青色）にて表示する。一方、シンボル画像ＳＢ１が配置された領域の部屋の「高さ」よりも、新たな機器の「高さ」が高く、当該領域に当該新たな機器を配置することができない場合、情報処理部３０ａは、シンボル画像ＳＢ１を別の色（例えば、赤色）にて表示する。
このような構成のため、居住者は、新機器設置可能領域Ａ３にシンボル画像ＳＢ１を配置した後、シンボル画像ＳＢ１の色を参照することにより、シンボル画像ＳＢ１が配置された領域に対応する現実の領域に、「高さ」という観点から、設置しようとしている新たな機器を配置できるか否かを、容易かつ迅速に把握できる。
【００６８】
さらに、居住者は、領域表示画面ＵＩ８上に表示された新機器設置可能領域Ａ３の任意のポイントと、他の任意のポイントとの実際の距離を容易な方法で把握できる構成となっている。
図１３を利用して詳述すると、領域表示画面ＵＩ８において所定のポイントがタッチ操作されると、図１３（Ａ）に示すように、その位置にマークＭ１が表示される。さらに、タッチ操作されたポイントが、二次元座標系ｑにおける座標に変換され、携帯電話２３Ａからサービス提供サーバー１０に対して、当該座標を示す情報が送信される。
その後、さらに、領域表示画面ＵＩ８において所定のポイントがタッチ操作されると、図１３（Ｂ）に示すように、その位置にマークＭ２が表示される。さらに、タッチ操作されたポイントが、二次元座標系ｑにおける座標に変換され、携帯電話２３Ａからサービス提供サーバー１０に対して、当該座標を示す情報が送信される。
情報処理部３０ａは、マークＭ１に係るポイントの座標、及び、マークＭ２に係るポイントの座標に基づいて、マークＭ１に係るポイントと、マークＭ２に係るポイントとの実際の距離を算出する。そして、情報処理部３０ａは、図１３（Ｂ）に示すように、マークＭ１と、マークＭ２とを結ぶ線分を描画させると共に、当該線分の近傍に、算出した各ポイントに対応する位置の実際の距離を示す情報を描画させる。
以上のような機能を有しているため、居住者は、携帯電話２３Ａのタッチパネル１６に対するタッチ操作という非常に簡単な操作によって、新機器設置可能領域Ａ３の任意の位置と、任意の位置との実際の距離を把握できる。
【００６９】
なお、図１１（Ｂ）の入力方法選択画面ＵＩ６において、手動入力ボタンＬ６が選択された場合は、画面が、図１１（Ｄ）に示す画面に切り替わり、図面の形状、及び、種類について直接入力できる。これにより、機器の形名が分からない場合や、商品情報入力画面ＵＩ７による情報の入力では機器の情報を取得できない場合であっても、新たな機器の各種情報を入力できる。なお、図１１（Ｄ）に示す画面はあくまで一例であり、外出時閲覧サービスＳ３の提供時に情報処理部３０ａが演算可能な情報を、サービス提供サーバー１０に出力できるのであれば、どのような態様であってもよい。
【００７０】
また、本実施形態では、部屋選択画面ＵＩ５において、新たな機器を設置する部屋を選択する構成であったが、機器を設置する部屋を選択させず、マンション住居１８の全部屋を対象として新たな機器を設置可能な領域を算出し、全部屋の間取りと共に、表示する構成であってもよい。この場合において、居住者が、画面上に表示された間取りの画像を拡大／縮小できる構成とすれば、実際に配置しようとしている部屋に対応する部分を拡大して、機器を設置可能な領域を参照することが可能となり、利便性が向上する。
【００７１】
＜天災情報通知サービスＳ４＞
次いで、天災情報通知サービスＳ４について説明する。
この天災情報通知サービスＳ４は、何らかの天災が起きた場合に、住居設置端末１５を介して間取りを考慮した適切な情報を通知するサービスである。
以下、震度１の地震が発生した場合と、震度５の地震が発生した場合とを想定して、天災情報通知サービスＳ４について説明する。
地震が発生した場合、天災情報通知サーバー２４から、サービス提供サーバー１０に対して、地震に関する情報として、少なくとも天災の内容を含む情報が、出力される。本実施形態では、天災の内容として、地震の場合、その震度を示す情報が含まれているものとする。天災の内容を含む情報が入力されると、情報処理部３０ａは、間取り情報データベースＤＢ３、及び、設置機器情報データベースＤＢ４を参照し、マンション住居１８に配置されている機器のそれぞれの種類を取得する。
次いで、情報処理部３０ａは、天災情報データベースＤＢ６を参照する。
【００７２】
図５（Ｈ）は、天災情報データベースＤＢ６のデータ構造の一例である。
天災情報データベースＤＢ６では、天災の内容と、機器の種類との組み合わせごとに、所定の情報を保持するデータベースである。
ここで、天災の内容に応じて、マンション住居１８の間取り、及び、設置された機器との関係で、居住者にとって有益な情報が存在する。例えば、一定以上の震度の地震の場合は、テレビ等のガラス部材を有する機器や、冷蔵庫との重量がある機器、タンスや棚等の物が載置されている機器等には安全性の観点から近づかないほうがよい。また、一定以上の震度の地震の場合は、テーブルの下に避難したほうがよく、また、ガスコンロは、その状態を確認すべきである。
そして、天災情報データベースＤＢ６では、天災の内容と、機器の種類との組み合わせごとに、居住者に伝えるべき有益な情報を、三次元座標系Ｑに展開した間取りの画像上に展開可能な態様で保持している。
例えば、図５（Ｈ）の１件目のレコードＲ１に示すとおり、種類：テレビと、天災の内容：震度５の地震とについては、半径○○以内には近づかない旨の情報を、三次元座標系Ｑに展開可能な情報として保持している。また、例えば、レコードＲ２に示すとおり、種類：ガスコンロと、天災の内容：震度１、５の地震とについては、それぞれ、火の確認をする旨の情報を、三次元座標系Ｑに展開可能な情報として保持している。
【００７３】
さて、情報処理部３０ａは、天災情報通知サーバー２４から天災に関する通知があった場合、天災情報データベースＤＢ６を参照し、マンション住居１８に設置された機器のそれぞれについて、天災の内容、及び、機器の種類の組み合わせに応じた情報を取得する。
次いで、間取りの画像と共に、取得した情報が表示された描画データを生成し、生成した描画データを住居設置端末１５に送信し、タッチパネル１６上に描画データに基づく天災情報表示画面ＵＩ９（図１４）を表示させる。その際、情報処理部３０ａは、震災の内容に応じた警告音の音声データも送信し、当該警告音を出力させる。
【００７４】
図１４（Ａ）は、図５（Ｈ）に基づく天災情報データベースＤＢ６に基づいて、震度１の地震が発生したときに住居設置端末１５のタッチパネル１６に表示される天災情報表示画面ＵＩ９を示し、図１４（Ｂ）は、震度５の場合の天災情報表示画面ＵＩ９を示している。
図１４の例では、説明の便宜のため、第１部屋Ｈ１に、テレビＴＶ、テレビラックＴＬのほか、ガスコンロＧＣと、テーブルＴＢが配置されている。これら機器の情報は、間取り情報データベースＤＢ３、及び、設置機器情報データベースＤＢ４に適切に格納されているものとする。
天災情報表示画面ＵＩ９に係る描画データを生成する際、情報処理部３０ａは、天災情報データベースＤＢ６を参照し、マンション住居１８に設置された機器のそれぞれについて、天災の内容、及び、機器の種類の組み合わせに応じた情報を取得する。さらに、情報処理部３０ａは、住居形状情報Ｊ１１に基づいて、三次元座標系Ｑにおける二次元座標系ｑに間取りの画像を展開した上で、間取り情報データベースＤＢ３の適切な情報を参照し、天災に関する情報を表示すべき機器の画像の位置を特定すると共に、当該機器の画像に対応付けて吹出しを描画し、各吹出し内に、上記データベースから取得した情報を、所定の態様で表示する。
より具体的には、震度１の地震の場合には、情報処理部３０ａは、天災情報データベースＤＢ６の内容に基づいて、ガスコンロＧＣについて天災に関する情報を表示すべきことを認識する。次いで、情報処理部３０ａは、三次元座標系Ｑにおける二次元座標系ｑに間取りの画像を展開すると共に、間取り情報データベースＤＢ３の適切な情報に基づいて、当該間取りの画像におけるガスコンロＧＣの位置を特定する。次いで、ガスコンロＧＣの画像に対応付けて吹出しを描画し、当該吹出し内に、天災情報データベースＤＢ６から取得したガスコンロＧＣに係る天災に関する情報を所定の態様で描画する。
【００７５】
図１４（Ａ）と、図１４（Ｂ）との比較により明らかなとおり、天災情報通知サービスＳ４では、天災が発生した場合、マンション住居１８の間取りが示されると共に、機器の配置場所が示された上で、天災の内容と機器の種類とを踏まえた適切な情報が表示される。したがって、居住者は、警告音が鳴ったときに、住居設置端末１５のタッチパネル１６を参照することにより、天災の内容に応じて、自身が行うべき行動を的確に認識することができ、適切な対応をとることが可能となる。
【００７６】
さらに、本実施形態では、天災情報通知サービスＳ４において、サービス提供サーバー１０は、避難経路に関する情報も提供する。
詳述すると、天災が発生したことを、天災情報通知サーバー２４からの入力により、検出すると、サービス提供サーバー１０の情報処理部３０ａは、外出時閲覧サービスＳ３で説明した手段と同様の手段により、タグ位置情報Ｊ２４、及び、端末向き情報を取得し、これら情報に基づいて、住居設置端末１５のマンション住居１８における位置、及び、端末が向いている方向の方位を取得する。
次いで、情報処理部３０ａは、間取り情報データベースＤＢ３、設置機器情報データベースＤＢ４、及び、天災情報データベースＤＢ６の各情報に基づいて、マンション住居１８に設置された機器との関係で、避難場所として最適な領域を検出する。例えば、情報処理部３０ａは、天災情報データベースＤＢ６を参照し、機器の種類との関係で、地震による震動に伴って何らかの危険が発生する可能性がある領域を特定し、それ以外の領域を避難場所として最適な領域として特定する。なお、避難場所の特定方法は、どのようなやり方であってもよく、例えば、予め避難場所（例えば、テーブルＴＢの下）を登録しておく方法であってもよい。なお、天災情報データベースＤＢ６には、機器の種類ごとに、地震が起こった場合に、地震による震動に伴って何らかの危険が発生する可能性がある領域を三次元座標系Ｑに展開可能な情報として保持している。例えば、種類：テレビの機器について、テレビを中心として、半径１メートルの範囲は危険が発生する可能性がある領域である旨の情報を、三次元座標系Ｑに展開可能な情報（例えば、三次元座標系Ｑにおいて当該領域を示す座標の情報）として保持している。
次いで、情報処理部３０ａは、住居設置端末１５の現在の位置（取得したタグ位置情報Ｊ２４が示す位置）から、避難場所までの経路（避難経路）を算出する。避難経路の算出に際し、情報処理部３０ａは、設置された機器のそれぞれについて地震による震動に伴って何らかの危険が発生する可能性がある領域を特定し、その領域を避けた経路であって、かつ、できるだけ短い経路を算出する。
次いで、情報処理部３０ａは、二次元座標系ｑに展開した間取りの画像に、算出した避難経路が明示された画像が表示された天災情報表示画面ＵＩ９を表示するための描画データを生成し、住居設置端末１５に出力する。その際、外出時閲覧サービスＳ３で説明した方法により、住居設置端末１５の位置を中心として、住居設置端末１５が向く方向を反映した画像が表示されるような描画データを生成する。
【００７７】
図１５（Ａ）は、マンション住居１８における住居設置端末１５の位置、及び、向きの一例を示す図であり、図１５（Ｂ）は、図１５（Ａ）に示す例において、地震等の天災が発生した場合に、タッチパネル１６に表示される天災情報表示画面ＵＩ９の一例を示す図である。
図１５（Ｂ）に示すように、天災情報表示画面ＵＩ９では、間取りの画像中に、避難経路が明示される。さらに、間取りの画像は、住居設置端末１５の位置が中心となり、かつ、住居設置端末１５の向きが反映された画像となる。
このような表示態様で、天災情報表示画面ＵＩ９が表示されるため、実際に避難を試みようとしている居住者は、自身が辿るべき避難経路を迅速、かつ、明確に把握でき、より的確、かつ、より安全に避難を行うことができる。
【００７８】
＜ライフスタイルアドバイスサービスＳ５＞
次いで、ライフスタイルアドバイスサービスＳ５について説明する。
まず、ライフスタイルアドバイスサービスＳ５の説明の前に、住居設置端末１５の所定の機能、及び、家族情報データベースＤＢ２の現在位置情報Ｊ１０について説明する。
【００７９】
住居設置端末１５は、以下の機能を有している。
すなわち、住居設置端末１５がクレードル２０に接続された場合、その旨の信号が端末側制御部３７のＣＰＵの所定のポートに入力され、それをトリガーとして、撮影制御部３７ｂの機能を実現する専用アプリケーション３８ａ上のプログラムが起動する。
撮影制御部３７ｂは、住居設置端末１５がクレードル２０に接続されている間、所定のサンプリング周期で、カメラ装置４０からの入力に基づいて撮影画像データを生成し、パターンマッチング処理等の既存の画像処理を利用して、生成した撮影画像データを分析し、撮影した領域内で、物体の移動があったか否かを判別する。物体の移動は、居住者の移動と類推できるため、物体の移動があった場合は、マンション住居１８に居住者が居るとみなすことができる。
そして、撮影制御部３７ｂは、所定のサンプリング周期で、物体の移動を検出したか否かを示す情報を、サービス提供サーバー１０に通知する。
サービス提供サーバー１０の情報処理部３０ａは、物体の移動を検出したか否かを示す情報を受信した場合、受信した日時（日付、時刻）と対応付けて累積的に記憶する。
【００８０】
次に、家族情報データベースＤＢ２の現在位置情報Ｊ１０、及び、現在位置情報Ｊ１０に関連するサービス提供サーバー１０の動作について説明する。
上述したとおり、携帯電話２３Ａ〜２３Ｃには、サービス提供サーバー１０から各種サービスを受けるための所定のアプリケーションがインストールされている。そして、この所定のアプリケーションには、以下の機能が実装されている。
すなわち、所定のアプリケーションには、所定のタイミングで、携帯電話２３Ａ〜２３Ｃが電話回線網２１と通信する際に利用する基地局２１ａを特定する情報（位置情報）を、自身の携帯電話識別コードＪ９と対応付けて、インターネット１２を介してサービス提供サーバー１０に送信する機能を有している。所定のタイミングとは、例えば、基地局２１ａが切り替わったタイミングであり、また例えば、定期的なタイミングである。携帯電話は、基本的には、最も近くに位置する基地局２１ａを介して電話回線網２１と通信するため、携帯電話２３Ａ〜２３Ｃは、各携帯電話が利用する基地局２１ａの近くに位置していると類推できる。
携帯電話２３Ａ〜２３Ｃのいずれかから、基地局２１ａを特定する情報、及び、携帯電話識別コードＪ９を受信したサービス提供サーバー１０の情報処理部３０ａは、携帯電話識別コードＪ９をキーとして、家族情報データベースＤＢ２の中から、対応するレコードを特定し、特定したレコードの現在位置情報Ｊ１０の内容を、受信した基地局２１ａを特定する情報によって更新する。すなわち、家族情報データベースＤＢ２の１件のレコードにおける現在位置情報Ｊ１０には、居住者が所有する携帯電話が通信する基地局２１ａを特定する情報が格納される。
【００８１】
さらに、情報処理部３０ａは、現在位置情報Ｊ１０に基づいて、以下の処理を実行する。
すなわち、マンション住居１８内で携帯電話を利用した場合に、当該携帯電話が電話回線網２１と通信する際に利用する基地局２１ａ（以下、「住居近接基地局」という。）を特定する情報が、事前に記憶部３３に記憶されている。そして、情報処理部３０ａは、家族情報データベースＤＢ２の現在位置情報Ｊ１０を定期的に監視し、居住者のそれぞれ（本例では、父、母、及び、娘）について、現在位置情報Ｊ１０が示す基地局２１ａが、住居近接基地局である時間帯（以下、「住居近接時間帯」という。）を累積的に記憶する。
より具体的には、情報処理部３０ａは、父について、家族情報データベースＤＢ２の父に係るレコード（携帯電話識別コードＪ９が、父の携帯電話２３Ａの携帯電話識別コードＪ９であるレコード）の現在位置情報Ｊ１０を定期的に監視する。そして、現在位置情報Ｊ１０が示す基地局２１ａが、住居近接基地局以外の基地局２１ａから住居近接基地局へと移行した場合、情報処理部３０ａは、その日時（日付＋時刻。本例では、２０１２／１／１／１０：００であるものとする。）を一時的に記憶する。その後、現在位置情報Ｊ１０が示す基地局２１ａが、住居近接基地局から住居近接基地局以外の基地局２１ａへと移行した場合、情報処理部３０ａは、その日時（本例では、２０１２／１／１／１５：００であるものとする。）を一時的に記憶する。そして、情報処理部３０ａは、２０１２／１／１／１０：００〜２０１２／１／１／１５：００を示す情報を「住居近接時間帯」として所定の記憶領域に記憶する。ここで、記憶した住居近接時間帯は、携帯電話２３Ａを所有する父が、マンション住居１８内、又は、マンション住居１８の近傍に居る時間帯に他ならない。
このようにして、情報処理部３０ａは、居住者のそれぞれについて住居近接時間帯を累積的に記憶する。
【００８２】
次に、ライフスタイルアドバイスサービスＳ５について説明する。
以下の説明では、サービス提供サーバー１０が、居住者の一人である父に関してライフスタイルアドバイスサービスＳ５を提供する場合を例として説明する。
父に関するライフスタイルアドバイスサービスＳ５の提供にあたり、まず、サービス提供サーバー１０の情報処理部３０ａは、父が、マンション住居１８、特に、クレードル２０が設けられた部屋に滞在する平均的な時間帯を算出する。時間帯の算出は、以下のようにして行われる。
上述したとおり、サービス提供サーバー１０の情報処理部３０ａは、日時と対応付けて、物体の移動を検出したか否かを示す情報を累積的に記憶している。さらに、情報処理部３０ａは、居住者のそれぞれについて、住居近接時間帯を累積的に記憶している。
これを利用して、情報処理部３０ａは、「物体の移動が継続的に検出されている時間帯」と、「父についての住居近接時間帯」とが重なり合う時間帯を、父が、マンション住居１８のクレードル２０が設けられた部屋に居る時間帯として特定する。
図１６は、上記時間帯の特定の説明に利用する図である。
図１６において、軸Ｓは、左から右へ向かって、時間が経過する様子を表す軸である。軸Ｓ上に等間隔に記した目盛りＭは、住居設置端末１５から、物体の移動を検出したか否かを示す情報を受信したタイミングのそれぞれを表している。上述したとおり、住居設置端末１５の撮影制御部３７ｂは、所定のサンプリング周期で、物体の移動を検出したか否かを示す情報を、サービス提供サーバー１０に通知し、一方、サービス提供サーバー１０の情報処理部３０ａは、物体の移動を検出したか否かを示す情報を受信した場合、受信した日時（日付、時刻）と対応付けて累積的に記憶する。
【００８３】
図１６において、グラフＧ１は、軸Ｓ上の各目盛りＭに係るタイミングにおいて、物体の移動を検出した旨の情報を受信したか、それとも、物体の移動を検出していない旨の情報を受信したかを明示するグラフであり、目盛りＭにおけるグラフが「Ｈｉｇｈ」の場合、物体の移動を検出した旨の情報を受信したことを表し、目盛りＭにおけるグラフが「Ｌｏｗ」の場合、物体の移動を検出していない旨の情報を受信したことを表している。
また、図１６において、グラフＧ２は、父についての住居近接時間帯を明示するグラフであり、グラフが「Ｈｉｇｈ」の時間帯が、住居近接時間帯を表している。
図１６を参照し、時間帯Ｔ１−Ｔ２は、住居近接時間帯、つまり、父がマンション住居１８内、又は、マンション住居１８の近傍に位置している時間帯である。そして、この時間帯Ｔ１−Ｔ２では、グラフＧ１に示すように、クレードル２０が設けられた部屋において、継続して物体の移動が検出されている。なお、「継続して」物体の移動が検出される、とは、予め定められた所定の期間があくことなく、物体の移動が検出されることをいう。この時間帯Ｔ１−Ｔ２のように、「物体の移動が継続的に検出されている時間帯」と、「父についての住居近接時間帯」とが重なり合っている場合、父が、クレードル２０が設けられた部屋に居た時間帯である可能性が高いため、情報処理部３０ａは、時間帯Ｔ１−Ｔ２を、父が、マンション住居１８のクレードル２０が設けられた部屋に居る時間帯として特定する。
一方で、時間帯Ｔ２−Ｔ３は、グラフＧ２に示すように、父についての住居近接時間帯ではない。従って、父がクレードル２０が設けられた部屋に居る可能性はなく、情報処理部３０ａは、時間帯Ｔ２−Ｔ３を、父がマンション住居１８のクレードル２０が設けられた部屋に居る時間帯として特定しない。
また、時間帯Ｔ３−Ｔ４は、父についての住居近接時間帯であるものの、「物体の移動が継続的に検出されている時間帯」ではない。この場合、時間帯Ｔ３−Ｔ４においては、マンション住居１８のクレードル２０が設けられた部屋に人間が存在していなかった可能性が高く、従って、父は、マンション住居１８の近傍に居るものの、マンション住居１８内には居ない可能性が高い。これを踏まえ、情報処理部３０ａは、時間帯Ｔ３−Ｔ４を、父がマンション住居１８のクレードル２０が設けられた部屋に居る時間帯として特定しない。
このように、本実施形態では、居住者が所有する携帯電話を利用して、携帯電話の基地局２１ａに関する情報と、住居設置端末１５の撮影結果に基づいて、居住者の「それぞれ」について、特定の部屋に居る時間帯を算出する。このため、既存の機能を効果的に利用して、的確に、当該時間帯を算出可能である。特に、当該時間帯の算出にあたり、物理的、ソフトウェア的に特別な機構を設ける必要がないため、コストの面でも有利である。
【００８４】
以上のようにして、父がマンション住居１８のクレードル２０が設けられた部屋に居る時間帯を特定した後、情報処理部３０ａは、特定した時間帯のそれぞれに基づいて、父が当該部屋に居る平均的な時間帯を算出する。父が、クレードル２０が設けられた部屋に居る平均的な時間帯は、例えば、時間的に近い情報ほど結果に反映するように重み付けをした加重平均等の統計学的手法を用いて算出される。その際、通常の情報と乖離した情報は算出に用いない等して、算出された時間帯には一定の信頼性が担保される。
次いで、情報処理部３０ａは、クレードル２０が設けられた部屋の属性と、当該部屋に父が存在している時間帯との対応関係に基づいて、ライフスタイルを推測する。なお、情報処理部３０ａは、クレードル２０が設けられた部屋の属性を、クレードル２０が設けられた部屋に係る部屋属性情報Ｊ１６に基づいて取得する。
ライフスタイルの推測について、一例を挙げて説明する。クレードル２０が設けられている部屋の属性がリビングであるとすると、情報処理部３０ａは、上記算出した時間帯は、居住者が活動している時間帯であるものとし、当該時間帯に基づいて、部屋の属性ごとに用意された所定のアルゴリズムにより、あらかじめ定められた複数のライフスタイルのパターンから、１のパターンを特定する。パターンとしては、例えば、夜遅くまで活動する傾向や、朝早くに活動する傾向といった、居住者の生活の傾向を反映した複数のものが用意されている。パターンの特定に際し、情報処理部３０ａは、家族情報データベースＤＢ２を参照し、家族の属性、年齢、性別、職業、家族構成等を反映する。
このように、本実施形態では、情報処理部３０ａは、ライフスタイルの推測（ライフスタイルのパターンの特定）に際し、住居設置端末１５から入力された情報が、どういった属性の部屋で撮影された結果に基づいて生成されたものであるかを、反映した上で、ライフスタイルの推測を行う。従って、部屋の属性によって、人間が存在する時間帯、態様等の傾向がことなることを踏まえて、マンション住居１８における人間の活動の実態をより的確に反映して、ライフスタイルの推測が可能となる。これは、本実施形態のように、住居設置端末１５のクレードル２０が設けられた部屋（＝住居設置端末１５が配置された部屋）を示す情報をサービス提供サーバー１０が管理しているからこそ可能となる。
【００８５】
情報処理部３０ａは、特定したライフスタイルのパターンに基づいて、例えば、以下の処理を行う。
すなわち、記憶部３３には、ライフスタイルのパターンごとに、居住者にとって有益な情報が記憶されたデータベースが記憶されている。有益な情報とは、例えば、夜遅くまで活動する傾向に係るライフスタイルのパターンについては、夜更かしによる健康上の弊害を示す情報や、夜更かしに効く夜食のメニュー等である。なお、当該データベースに記憶された情報は、自動で、又は、人為的な手段により適切に更新される。
そして、情報処理部３０ａは、所定のタイミングで、特定したライフスタイルのパターンに対応する有益な情報を取得し、その情報をタッチパネル１６に表示させる。所定のタイミングとは、例えば、撮影制御部３７ｂからの通知に基づいて、クレードル２０が設けられた部屋に居住者が侵入したとき等のあらかじめ定められたタイミングである。
これにより、居住者は、自身のライフスタイルを踏まえた有益な情報を適宜のタイミングで取得できる。
【００８６】
なお、上述したライフスタイルの推定方法は、あくまで一例である。
例えば、住居設置端末１５に各家族の顔の画像を登録しておき、既存の顔認識技術を用いて、家族ごとに、クレードル２０が設けられた部屋にいる時間帯を算出し、家族ごとに、当該部屋の属性を反映したライフスタイルを推測し、家族ごとにライフスタイルに応じた情報を出力する構成であってもよい。
また、ライフスタイルの推測に際し、平日であるのか休日であるのかを考慮してもよい。すなわち、ライフスタイルは、部屋の属性と、撮影制御部３７ｂからの通知とに基づいて、情報処理部３０ａが、演算処理により算出可能な居住者の生活の傾向を広く含む概念である。
また、本実施形態では、サービス提供サーバー１０は、携帯電話２３Ａ〜２３Ｂの位置情報として、各携帯電話の基地局２１ａを特定する情報を取得する構成であった。しかしながら、携帯電話がＧＰＳ機能を搭載している場合において、居住者が許可する場合は、サービス提供サーバー１０は、位置情報として、ＧＰＳを利用した位置情報を取得してもよい。ＧＰＳを利用した位置情報は、携帯電話の基地局２１ａを特定する情報と比較して、より精密に携帯電話の位置を示す情報である。このため、ＧＰＳを利用した位置情報を使用すれば、住居設置端末１５から受信した物体の移動があったか否かを示す情報を利用することなく、より精密に、居住者が特定の部屋にいる時間帯を算出可能である。
【００８７】
また、本実施形態では、情報処理部３０ａは、携帯電話の基地局２１ａを特定する情報、及び、住居設置端末１５から受信した物体の移動があったか否かを示す情報を利用して、居住者のそれぞれについて、特定の部屋に居る時間帯を算出していたが、以下のようにして算出するようにしてもよい。
すなわち、撮影制御部３７ｂは、住居設置端末１５がクレードル２０に接続されている間、所定のサンプリング周期で、カメラ装置４０からの入力に基づいて撮影画像データを生成し、パターンマッチング処理等の既存の画像処理を利用して、生成した撮影画像データを分析し、クレードル２０が設けられた部屋に特定の人間が存在していること、または、存在していないことを検出する。例えば、撮影制御部３７ｂは、事前に、居住者のそれぞれの顔の情報（顔認識に利用可能な顔の情報）を記憶する。そして、撮影制御部３７ｂは、既存の顔認識処理により、撮影画像データに特定の人間の顔を示す画像があるか否かを検出し、顔を示す画像を検出した場合、部屋に当該特定の人間が存在していることを検出する。なお、部屋に人間が存在しているか否かの検出方法は、既存の全ての技術を応用することができる。特定の人間が部屋に居るか居ないかを示す情報は、随時、サービス提供サーバー１０に送信され、情報処理部３０ａは、受信した情報に基づいて、特定の人間が部屋にいる時間帯を累積的に記憶する。このようにして累積的に記憶した情報を利用して、特定の人間が特定の部屋にいる時間帯を求めるようにしてもよい。なお、顔認識等の画像処理は、サービス提供サーバー１０側が行うようにしてもよい。
また。光学的な手法にかかわらず、例えば、音を検出するセンサーを有している場合は、当該センサーの検出値に基づいて、または、当該センサーの検出値とカメラ装置による撮影結果とに基づいて、人間が部屋に存在しているか否かを検出するようにしてもよい。
【００８８】
＜安否通知サービスＳ６＞
次いで、安否通知サービスＳ６について説明する。
この安否通知サービスＳ６は、居住者の安否に関する情報を、間取りを踏まえた適切なタイミングで、所定の外部機器に通知するサービスである。以下の説明では、所定の外部機器は、個人用端末２５であるものとする。個人用端末２５は、マンション住居１８の居住者の近親等、当該居住者と何らかの関わりがある者が所有するものである。そして、安否通知サービスＳ６によれば、居住者と関わりがある者は、個人用端末２５を介して、居住者の安否に関する情報を、適切なタイミングで取得できる。本サービスは、例えば、マンション住居１８に老人が一人で生活しており、当該老人と離れて暮らす家族が、老人の安否を確認する場合等に有効活用できる。
【００８９】
以下、安否通知サービスＳ６について詳細に説明する。
上述したように、住居設置端末１５の撮影制御部３７ｂは、所定のサンプリング周期で、クレードル２０が設けられた部屋における物体の移動の有無を示す情報を、サービス提供サーバー１０に通知する。一方、サービス提供サーバー１０の情報処理部３０ａは、撮影制御部３７ｂから受信した通知の内容に基づいて、記憶部３３に記憶された通知条件データベースＤＢ７を参照し、所定の条件が成立したか否かを監視する。
【００９０】
図５（Ｉ）は、通知条件データベースＤＢ７のデータ構造の一例を示す図である。
図５（Ｉ）に示すように、通知条件データベースＤＢ７の１件のレコードは、端末識別コードＪ１と対応付けて、部屋属性情報Ｊ１６、条件情報Ｊ２５、送信手段情報Ｊ２６、及び、通知内容情報Ｊ２７の組み合わせが記憶されている。
条件情報Ｊ２５とは、居住者の安否に関する情報を通知する条件を示す情報である。本実施形態では、部屋の属性ごとに条件が設定されている。従って、１つの住居設置端末１５について、通知条件データベースＤＢ７上に、部屋の属性ごとにレコードが存在している。
送信手段情報Ｊ２６とは、条件情報Ｊ２５が示す条件が成立した場合に、所定の通知を行うときの手段を示す情報である。本例では、送信手段情報Ｊ２６は、個人用端末２５のメールアドレスに、電子メールによって通知する旨示す情報である。
通知内容情報Ｊ２７は、対応する条件が成立した場合に行う通知の内容を示す情報である。
【００９１】
情報処理部３０ａは、所定のタイミングで、住居設置端末１５から受信した通知に含まれる端末識別コードＪ１に基づいて、間取り情報データベースＤＢ３におけるクレードル２０に係る機器配置／形状情報Ｊ１９等により、当該住居設置端末１５が配置されている部屋の属性を特定し、端末識別コードＪ１と部屋の属性を示す部屋属性情報Ｊ１６とをキーとして、通知条件データベースＤＢ７の対応するレコードを特定する。そして、特定したレコードにおける条件情報Ｊ２５を参照し、住居設置端末１５から受信した通知に基づいて、条件情報Ｊ２５が示す条件が成立したか否かを判別する。条件情報Ｊ２５が示す条件が成立したと判別した場合、送信手段情報Ｊ２６が示す送信手段により、通知内容情報Ｊ２７が示す内容の通知を出力する。
【００９２】
以下、部屋の属性と、条件と、通知内容との組み合わせについて、例を挙げて説明した上で、情報処理部３０ａの動作について説明する。
条件の一例は、部屋の属性がリビングである場合において、０８：００〜１０：００（以下、時間の表記は、２４時間表記で行う。）の間に、物体の移動が検出されなかったことである。リビングは、その属性上、マンション住居１８の居住者が朝起きて、活動を開始したときに、入室する可能性が非常に高い部屋である。従って、居住者が起床する時間帯（本例では、０８：００〜１０：００）に、属性がリビングである部屋に入室が無かった場合（＝物体の移動が検出されなかった場合）は、居住者に何らかのトラブルが発生している可能性がある。これを踏まえ、条件を上記のように設定すれば、起床する時間帯にリビングへの入室が無く、従って、居住者に何らかのトラブルが発生している可能性がある場合に、携帯電話２３Ａ、及び、個人用端末２５を介して、居住者の関係者に当該可能性が報知されることとなる。この場合、通知内容は、例えば、０８：００〜１０：００にリビングへの入室が無かったことを示すものとされる。
また、上記例の場合、すなわち、通知を行う条件が、「０８：００〜１０：００の間に、物体の移動が検出されなかったこと」である場合、情報処理部３０ａは、以下の処理を行う。
すなわち、情報処理部３０ａは、０８：００〜１０：００に、住居設置端末１５から送信されてくる情報（クレードル２０が設けられた部屋において物体の移動が検出されたか否かを示す情報）を監視する。そして、上記時間帯に、クレードル２０が設けられた部屋において物体の移動が検出されたことを示す情報を受信しなかった場合、条件情報Ｊ２５が示す情報が成立したと判別する。当該判別後、情報処理部３０ａは、送信手段情報Ｊ２６が示す送信手段により、通知内容情報Ｊ２７が示す内容の通知を出力する。
【００９３】
ここで、安否を的確に通知するという観点からは、部屋の属性によって、条件を変えることが必要である。なぜならば、部屋がどのような属性であるかによって、居住者がその部屋に存在している時間帯、態様の傾向は全く異なっているため、部屋の属性にかかわらず条件を一律な値とすると、居住者がその部屋に存在している時間帯、態様の傾向が反映されず、適切なタイミングで安否情報を送信できないからである。そして、本実施形態に係るサービス提供サーバー１０は、部屋の属性ごとに、居住者の安否を通知するための条件が設定されており、クレードル２０が設置されている部屋（住居設置端末１５）の属性に対応する条件が成立した場合に、安否情報が送信される構成であるため、部屋の属性を踏まえた適切なタイミングで適切な内容の情報を送信できる。
なお、間取り情報データベースＤＢ３には、住居を構成する部屋の属性を示す情報（部屋属性情報Ｊ１６）と、クレードル２０が設置されている部屋を示す情報（各部屋に係る配置機器情報Ｊ１７）と、が記憶されているため、情報処理部３０ａは、これら情報に基づいて、クレードル２０が設けられた部屋（＝住居設置端末１５が設置されている部屋）の属性を特定する。
また、安否に関する情報を送信する条件は、上記一例に限定されないことはいうまでもない。一例としては、部屋の属性が寝室である場合には、居住者が睡眠を取ると想定されている時間帯（０９：００〜翌日の０９：００）において、１度も寝室への入室が無かった場合や、３０分以上継続した入室が無かった場合等を条件として設置可能である。また例えば、条件に、曜日や、平日か休日かを反映してもよく、また、家族情報データベースＤＢ２に格納されている情報（各家族の年齢や性別、職業等）を反映しても良い。
【００９４】
なお、通知条件データベースＤＢ７の対応するレコードに新たな情報を格納し、また、格納されている情報を改変するためのユーザーインターフェースが、サービス提供サーバー１０により提供されており、居住者は、当該ユーザーインターフェースを介して、通知条件データベースＤＢ７の対応するレコードに格納された各種情報を更新することが可能である。つまり、居住者は、適宜、安否に関する通知を行う条件を変更でき、また、安否に関する通知を行う送信先や、送信の手段を変更でっきる。
【００９５】
また、本実施形態では、安否通知サービスＳ６において、安否に関する情報を送信する装置は、個人用端末２５であったが、これに限らず、携帯電話、サーバー等、何であってもよい。また、安否に関する情報を送信する手段は、メールに限らず、所定の専用機にプロトコルに従って信号を送信する等、何であってもよい。
【００９６】
以上説明したように、本実施形態では、サービス提供サーバー１０の情報処理部３０ａは、記憶部３３に記憶された家屋情報（間取り情報データベースＤＢ３、及び、設置機器情報データベースＤＢ４に記憶された情報）に基づいて処理を実行し、処理結果を住居設置端末１５に出力する。
この構成によれば、サービス提供サーバー１０は、住居設置端末１５を介して、その端末が設置された住居の間取りを踏まえた有益な情報を提供する、という新たなサービスを提供可能である。
【００９７】
また、本実施形態では、間取り／機器情報閲覧サービスＳ１において、サービス開始画面ＵＩ３におけるボタンＢ３が操作され、住居設置端末１５から、当該端末のタッチパネル１６に間取り画面ＵＩ４（住居の間取りを示す画像）を表示させる旨の要求があった場合、情報処理部３０ａは、記憶部３３に記憶された各種データベース（家屋情報）に基づいて、マンション住居１８の間取りの画像を表示させるデータを生成する描画データ生成処理を実行し、生成したデータを住居設置端末１５に出力する。
この構成によれば、居住者は、入居時に、住居設置端末１５を介して、自身が居住している住居の間取りに関する情報を適宜取得できることとなり、当該居住者の満足度を向上できる。
つまり、上記構成によれば、サービス提供サーバー１０は、住居に設置されている住居設置端末１５と通信可能に接続され、かつ、当該住居に係る家屋情報を記憶しているという特性を活かして、ソフトウェアとハードウェアとの協働により、居住者に対して、住居設置端末１５を介して、その居住者が実際に居住している住居の間取りに関する情報を適宜提供する、という新たなサービスを提供可能である。
【００９８】
また、本実施形態では、間取り情報データベースＤＢ３には、住居に設置されている機器の配置場所を示す情報（機器配置／形状情報Ｊ１９）が含まれている。そして、間取り／機器情報閲覧サービスＳ１において、情報処理部３０ａは、間取り画面ＵＩ４に係る描画データを生成する描画データ生成処理の実行に際し、機器配置／形状情報Ｊ１９に基づいて、住居の間取りと共に、住居において機器が配置された場所を表示させる描画データを生成する。
この構成によれば、居住者は、入居に際し、自身が居住する住居の間取りと併せて、住居に設置された機器の配置場所を参照することができ、非常に有益な情報を得ることができる。
つまり、上記構成によれば、サービス提供サーバー１０は、住居設置端末１５と通信可能に接続され、かつ、当該住居に係る家屋情報を記憶し、かつ、住居における機器の配置場所を示す情報を記憶しているという特性を活かして、ソフトウェアとハードウェアとの協働により、居住者に対して、住居設置端末１５を介して、住居の間取りと併せて、住居に設置された機器の配置場所を示す情報という非常に有益な情報を提供する新たなサービスを提供可能である。
【００９９】
また、本実施形態では、情報処理部３０ａは、間取り／機器情報閲覧サービスＳ１における描画データ生成処理の実行に際し、住居設置端末１５の向きを取得し、取得した端末の向きを反映させて、住居の間取りを示す画像を表示させる描画データを生成する。
この構成によれば、住居設置端末１５には、住居設置端末１５の向きを反映した間取りの画像が表示されることとなり、間取りの画像を視認する居住者の利便性を向上できる。
【０１００】
また、本実施形態では、情報処理部３０ａは、間取り／機器情報閲覧サービスＳ１における描画データ生成処理の実行に際し、マンション住居１８における住居設置端末１５の位置を取得し、取得した住居設置端末１５の位置を反映させて、マンション住居１８の間取りを示す画像を表示させるデータを生成する。
この構成によれば、マンション住居１８における居住者の実際の位置を踏まえて、間取りの画像を住居設置端末１５に表示させることが可能となり、間取りの画像を視認する居住者の利便性を向上できる。
【０１０１】
また、本実施形態では、マンション住居１８には、１又は複数のＮＦＣタグ（無線通信タグ）が設置され、マンション住居１８は、無線通信タグと通信してタグ固有のタグ識別コードＪ２３を取得する機能を有している。また、サービス提供サーバー１０の記憶部３３には、マンション住居１８に設置されたＮＦＣタグのそれぞれについて、タグ識別コードＪ２３と、ＮＦＣタグの位置を示すタグ位置情報Ｊ２４とが対応付けて記憶されている。そして、情報処理部３０ａは、住居設置端末１５から、住居設置端末１５に近接した位置に設置されたＮＦＣタグのタグ識別コードＪ２３を取得し、取得したタグ識別コードＪ２３と対応付けて記憶されたＮＦＣタグの位置を示すタグ位置情報Ｊ２４を取得することにより、マンション住居１８における住居設置端末１５の位置を取得する。
この構成によれば、サービス提供サーバー１０は、マンション住居１８に設置されたＮＦＣタグを利用して、マンション住居１８における住居設置端末１５の位置を的確に把握することができる。
【０１０２】
また、本実施形態では、サービス提供サーバー１０は、家屋情報として、部屋形状情報Ｊ１５（住居を構成する部屋の形状、及び、サイズに関する情報）と、機器配置／形状情報Ｊ１９（部屋における機器の配置場所を示す情報と、部屋に配置された機器の形状、及び、サイズに関する情報）とを記憶している。そして、外出時閲覧サービスＳ３において、情報処理部３０ａは、住居設置端末１５から、部屋において新たな機器を設置可能な領域についての問い合わせがあった場合、部屋形状情報Ｊ１５、及び、機器配置／形状情報Ｊ１９に基づいて、部屋の形状及びサイズと、部屋に配置された機器の配置場所と、機器の形状及びサイズとを反映して、新たな機器を配置可能な領域を示す新機器設置可能領域Ａ３が明示された領域表示画面ＵＩ８（図１２（Ｂ））を表示させる描画データを生成し、生成した描画データを住居設置端末１５に出力して、領域表示画面ＵＩ８を携帯電話２３Ａの表示部（又は、タッチパネル１６）に表示させる。
この構成によれば、居住者は、自身が居住する住居に、新たな機器を設置する際に、設置しようとしている部屋において、当該新たな機器を設置可能な領域を把握可能となる。
つまり、上記構成によれば、サービス提供サーバー１０は、住居設置端末１５と通信可能に接続され、かつ、住居を構成する部屋の形状、及び、サイズに関する情報と、部屋における機器の配置場所を示す情報と、機器の形状、及び、サイズに関する情報とを記憶しているという特性を活かして、ソフトウェアとハードウェアとの協働により、住居設置端末１５を介して、部屋において新たな機器を設置可能な領域に関する情報という有益な情報を提供する、という新たなサービスを提供可能である。
【０１０３】
また、本実施形態では、情報処理部３０ａは、新機器設置可能領域Ａ３の算出に際し（部屋において新たな機器を設置可能な領域に関する情報の生成に際し）、機器の種類を反映して、新機器設置可能領域Ａ３を算出する。
この構成によれば、サービス提供サーバー１０は、部屋に既に設置されている機器の種類を踏まえて、適切に、新たな機器を設置可能な領域に関する情報を、住居設置端末１５を介して、提供可能である。
【０１０４】
また、本実施形態では、情報処理部３０ａは、領域表示画面ＵＩ８において任意の２つのポイントがタッチ操作されると、間取り情報データベースＤＢ３に基づいて、これらポイントの実際の距離を算出し、応答する。
この構成によれば、居住者は、携帯電話２３Ａのタッチパネル（又は、タッチパネル１６）に対するタッチ操作という非常に簡単な操作によって、新機器設置可能領域Ａ３の任意の位置と、任意の位置との実際の距離を把握できる。
【０１０５】
また、情報処理部３０ａは、住居設置端末１５、及び、携帯電話２３Ａ（携帯端末）のいずれから部屋において新たな機器を設置可能な領域についての問い合わせがあった場合であっても、当該問い合わせに応じて新機器設置可能領域Ａ３を算出し、当該領域を明示する領域表示画面ＵＩ８を表示させる（問い合わせに応答する）ことが可能である。
ここで、近年、スマートフォン等のインターネットへの接続機能が実装された携帯端末が広く普及してきている。
そして、上記構成によれば、住居の居住者は、外出先においても、新たな機器を設置可能な領域に関する情報を取得でき、例えば、ショッピングセンターにおいて購入しようとしている商品が実際に部屋に配置できるのか否かを把握できる。
つまり、上記構成によれば、サービス提供サーバー１０は、居住者が所有する携帯端末からアクセス可能であること、という特性を活かして、ソフトウェアとハードウェアとの協働により、携帯端末を介して、新たな機器を設置可能な領域に関する情報という有益な情報を提供する、という新たなサービスを提供可能である。
【０１０６】
また、本実施形態では、情報処理部３０ａは、天災情報通知サーバー２４（外部サーバー）から天災に関する情報が入力された場合、天災に関する情報と、家屋情報（間取り情報データベースＤＢ３、及び、設置機器情報データベースＤＢ４に含まれる情報）とに基づいて、天災の内容と、住居の間取りとを踏まえて、天災情報表示画面ＵＩ９を表示させる描画データを生成し（避難に関する情報を生成し）、住居設置端末１５に送信し、天災情報表示画面ＵＩ９をタッチパネル１６に表示させる。
この構成によれば、住居の居住者は、地震等の天災が発生した場合に、天災の内容のみならず、住居の間取りを踏まえた適切な避難に関する情報を取得できる。
つまり、上記構成によれば、サービス提供サーバー１０は、住居に設置されている端末と通信可能に接続され、かつ、住居に係る家屋情報を記憶している特性を活かして、ソフトウェアとハードウェアとの協働により、住居設置端末１５を介して、天災の内容と、住居の間取りとを踏まえた避難に関する情報という有益な情報を提供する、という新たなサービスを提供可能である。
【０１０７】
また、本実施形態では、サービス提供サーバー１０の記憶部３３には、家屋情報として、マンション住居１８に設置されている機器について、機器種類情報Ｊ２０（機器の種類を示す情報）と、機器配置／形状情報Ｊ１９（機器の配置場所を示す情報）とが含まれている。また、天災情報表示画面ＵＩ９（図１４）には、天災の内容と、住居の間取りと、住居に設置された機器の種類と、機器の配置場所とを踏まえた避難に関する情報が含まれている。
そして、情報処理部３０ａは、天災情報通知サーバー２４から天災に関する情報が入力された場合、天災に関する情報と、機器の種類を示す情報と、機器が配置されている場所に関する情報とに基づいて、天災の内容と、住居の間取りと、住居に設置された機器の種類と、機器の配置場所とを踏まえた避難に関する情報、すなわち、天災情報表示画面ＵＩ９を表示させるための描画データを生成し、住居設置端末１５に出力し、この天災情報表示画面ＵＩ９をタッチパネル１６に表示させる。
この構成によれば、住居の居住者は、天災が発生した場合に、天災の内容、及び、住居の間取りのみならず、住居を構成する部屋に配置されている機器の種類、配置場所に応じた適切な避難に関する情報を取得できる。
つまり、上記構成によれば、サービス提供サーバー１０は、住居に設置されている端末と通信可能に接続され、かつ、機器の種類を示す情報と、機器が配置されている場所を示す情報とを記憶している特性を活かして、ソフトウェアとハードウェアとの協働により、端末を介して、天災の内容、住居の間取、住居を構成する部屋に配置されている機器の種類、及び、機器の配置場所に応じた避難に関する情報という有益な情報を提供する、という新たなサービスを提供可能である。
【０１０８】
また、本実施形態では、情報処理部３０ａは、天災情報通知サーバー２４から天災に関する情報が入力された場合、天災に関する情報と、機器の配置場所を示す情報と、家屋情報とに基づいて、天災の内容と、機器の配置場所とを踏まえた住居における避難経路に関する情報を生成し、住居設置端末１５に出力する。
この構成によれば、居住者に対し、機器の配置場所を踏まえた避難経路が提供されるため、居住者は、天災が発生した場合に、避難という観点からより有益な情報を取得できる。
【０１０９】
また、本実施形態に係る住居設置端末１５は、カメラ装置４０を利用した検出手段（所定の検出手段）により、住居設置端末１５が設置された位置に対応する位置における物体の移動を検出する機能、及び、検出結果を出力する機能を備えている。そして、ライフスタイルアドバイスサービスＳ５において、情報処理部３０ａは、家屋情報と、住居設置端末１５から入力された検出結果（住居設置端末１５（クレードル２０）が設けられた部屋に置ける物体の移動の有無を示す情報）に基づいて、居住者のライフスタイルを推測し、推測したライフスタイルに関連する情報を住居設置端末１５に出力する。
この構成によれば、住居の居住者は、自身のライフスタイルに応じて、ライフスタイルに関連する情報を取得でき、取得した情報を生活に役立てることができる。
つまり、上記構成によれば、サービス提供サーバー１０は、住居設置端末１５と通信可能に接続され、かつ、家屋情報を記憶している特性を活かして、ソフトウェアとハードウェアとの協働により、居住者のライフスタイルを適切に推測した上で、住居設置端末１５を介して、推測したライフスタイルに関連する情報を提供する、という新たなサービスを提供可能である。
【０１１０】
また、本実施形態では、情報処理部３０ａは、居住者が所有する携帯電話（携帯端末）から通信可能な基地局２１ａを特定する情報（位置情報）を取得し、当該情報に基づいて、当該居住者が、マンション住居１８内、又は、マンション住居１８の近傍に位置している時間帯を特定する。さらに、情報処理部３０ａは、住居設置端末１５から入力された情報に基づいて、物体の移動が継続して検出された時間帯を特定する。そして、情報処理部３０ａは、特定したこれら時間帯の重複する時間帯を、当該居住者がマンション住居１８に居る時間帯として特定し、特定した時間帯に基づいて、居住者のライフスタイルを推測する。
この構成によれば、一定の高い精度をもって、特定の居住者が住居に居る時間帯を特定可能である。
【０１１１】
また、本実施形態では、家屋情報として、間取り情報データベースＤＢ３には、住居を構成する部屋の属性を示す情報（部屋属性情報Ｊ１６）と、クレードル２０が設置されている部屋を示す情報（各部屋に係る配置機器情報Ｊ１７）と、が記憶されているため、情報処理部３０ａは、これら情報に基づいて、クレードル２０が設けられた部屋（＝住居設置端末１５が設置されている部屋）の属性を特定することが可能である。
そして、ライフスタイルアドバイスサービスＳ５において、情報処理部３０ａは、住居を構成する部屋の属性を示す情報と、住居設置端末１５（クレードル２０）が設置されている部屋を示す情報とに基づいて、住居設置端末１５が設置されている部屋の属性を特定（検出）し、特定した属性と、情報処理部３０ａから入力された検出結果に基づいて、居住者のライフスタイルを推測し、推測したライフスタイルに関連する情報を住居設置端末１５に出力する。
上記構成によれば、サービス提供サーバー１０は、部屋の属性を踏まえて、ライフスタイルの推測に係る処理を実行するため、住居設置端末１５から入力される検出結果に基づいて、どのような属性の部屋における検出結果であるのかを反映して、ライフスタイルを推測でき、より適切な推測を行うことができる。
つまり、サービス提供サーバー１０は、住居に設置されている端末と通信可能に接続され、かつ、端末が設置されている部屋を示す情報と、部屋の属性を示す情報とを記憶している特性、及び、住居設置端末１５の機能を活かして、ソフトウェアとハードウェアとの協働により、住居設置端末１５を介して、適切に推測されたライフスタイルに基づく有益な情報を提供する、という新たなサービスを提供可能である。
【０１１２】
また、本実施形態では、安否通知サービスＳ６において、情報処理部３０ａは、住居設置端末１５から入力された、当該端末が設けられた部屋における物体の移動の有無を示す情報（検出手段による検出結果）に基づいて、居住者の安否を通知するための条件として予め定められたものが成立したか否かを判別し、成立した場合は、外部機器に対して所定の通知を行う。
この構成によれば、サービス提供サーバー１０は、住居設置端末１５に実装された居住者の有無を検出する機能を利用して、居住者の安否を通知するための所定の条件が成立した場合には、外部の機器に対して通知を行い、当該外部の機器を介して居住者の安否を通知することが可能である。
【０１１３】
また、本実施形態では、家屋情報として、間取り情報データベースＤＢ３には、住居を構成する部屋の属性を示す情報（部屋属性情報Ｊ１６）と、クレードル２０が設置されている部屋を示す情報（各部屋に係る配置機器情報Ｊ１７）と、が記憶されているため、情報処理部３０ａは、これら情報に基づいて、クレードル２０が設けられた部屋（＝住居設置端末１５が設置されている部屋）の属性を特定することが可能である。
そして、安否通知サービスＳ６において、情報処理部３０ａは、住居設置端末１５から入力された当該端末が設けられた部屋における人間の在／不在を示す情報（検出手段による検出結果）に基づいて、居住者の安否を通知するための条件として予め定められたものが成立したか否かを判別し、成立した場合は、外部機器に対して所定の通知を行う一方、端末が設置されている部屋の属性を部屋属性情報Ｊ１６、配置機器情報Ｊ１７等に基づいて特定し、部屋の属性に応じて、条件の内容を変更する。
この構成によれば、サービス提供サーバー１０は、住居設置端末１５と通信可能に接続され、かつ、当該端末が設置されている部屋を示す情報と、部屋の属性を示す情報とを記憶している特性、及び、当該端末の機能を活かして、ソフトウェアとハードウェアとの協働により、端末を介して、適切な態様で、外部の機器を介して安否通知を行う、という新たなサービスを提供可能である。
【０１１４】
なお、上述した実施の形態は、あくまでも本発明の一態様を示すものであり、本発明の範囲内で任意に変形および応用が可能である。
例えば、住居設置端末１５は、タブレット型の端末であったが、端末の形態はこれに限らない。少なくとも、ブラウザーがインストールされる等して、サービス提供サーバー１０と通信する機能を有していれば何でも適用可能である。ただし、小型で軽量な端末が広く普及している現状、及び、間取り／機器情報閲覧サービスＳ１や、外出時閲覧サービスＳ３を受ける際には居住者が端末を持ち運ぶことが想定されていること等を鑑みると、本発明の適用に際し、適した形態の１つである。なお、住居設置端末１５は、汎用品でも専用品でもよい。
また例えば、携帯端末の一例として、携帯電話２３Ａを挙げたが、外出時にサービス提供サーバー１０にアクセス可能な装置の形態は、携帯電話に限らず、モバイルＰＣ等、サーバーにアクセスする機能を有する装置であれば何でもよい。
また、図５に示す各データベースのデータ構造はあくまで一例であり、任意の構図を取ることが可能である。
また、機器の種類等、機器に関する情報を入力可能に構成し、機器に関する情報が入力された場合、住居に配置された機器のうち、当該情報に対応する機器を検索し、間取り画面ＵＩ４等の間取りが明示された画面において、検索された機器の位置を示す情報を表示するようにしてもよい。これによれば、居住者等のユーザーは、部屋に配置された機器の位置を用意に把握できる。特に、通帳や、印鑑等、いわゆる小物を検索するときに有効である。
【符号の説明】
【０１１５】
１…情報処理システム、１０…サービス提供サーバー（サーバー装置）、１２…インターネット（ネットワーク）、１５…住居設置端末（端末）、１８…マンション住居（家屋）、２３Ａ…携帯電話（携帯端末）、２３Ｂ…携帯電話（外部機器）、２４…天災情報通知サーバー（外部サーバー）、２５…個人用端末（外部機器）、３０…制御部、３０ａ…情報処理部、ＤＢ３…間取り情報データベース（家屋情報）、ＤＢ４…設置機器情報データベース（家屋情報）。
【図１】
2014050020.tif 000003
【図２】
2014050020.tif 000004
【図３】
2014050020.tif 000005
【図４】
2014050020.tif 000006
【図５】
2014050020.tif 000007
【図６】
2014050020.tif 000008
【図７】
2014050020.tif 000009
【図８】
2014050020.tif 000010
【図９】
2014050020.tif 000011
【図１０】
2014050020.tif 000012
【図１１】
2014050020.tif 000013
【図１２】
2014050020.tif 000014
【図１３】
2014050020.tif 000015
【図１４】
2014050020.tif 000016
【図１５】
2014050020.tif 000017
【図１６】
2014050020.tif 000018